(57)【特許請求の範囲】
【請求項１】
同期通信方法であって、
第１の端末によって、第１の構成情報を取得する段階であって、前記第１の構成情報は、第１のパラメータを含む、段階と、
前記第１の端末によって、全球測位衛星システム（ＧＮＳＳ）クロックに従って、デバイスツーデバイス（Ｄ２Ｄ）通信システムにおける現在時刻に対応する伝送タイムスロットを決定する段階と、
前記第１の端末によって、前記伝送タイムスロット及び前記第１のパラメータに従って、前記現在時刻が同期情報送信時刻であるか否かを決定する段階と、
前記現在時刻が前記同期情報送信時刻である場合に、前記第１の端末によって、前記同期情報送信時刻にサイドリンク同期情報を送信する段階であって、前記サイドリンク同期情報は、指示情報を保持し、前記サイドリンク同期情報は、第２の端末を前記第１の端末と同期させるために用いられ、前記指示情報は、前記第２の端末に対して、前記第１の端末が前記ＧＮＳＳクロックを用いる同期ソースであることを示すために用いられる、段階と、
を備える方法。
【請求項２】
前記サイドリンク同期情報は、サイドリンク同期信号（ＳＬＳＳ）を含む、請求項１に記載の方法。
【請求項３】
前記ＳＬＳＳは、主サイドリンク同期信号（ＰＳＳＳ）及び副サイドリンク同期信号（ＳＳＳＳ）を含み、前記ＰＳＳＳ及び前記ＳＳＳＳの少なくとも１つは、専用シーケンスを含み、前記専用シーケンスは、前記指示情報である、請求項２に記載の方法。
【請求項４】
前記ＧＮＳＳクロックを用いる前記同期ソースの優先度は、前記ＧＮＳＳクロックを用いない同期ソースの優先度より高い、又は、
前記ＧＮＳＳクロックを用いる前記同期ソースの優先度は、ネットワークカバレッジ外にある前記ＧＮＳＳクロックを用いない同期ソースの優先度より高い、又は、
前記ＧＮＳＳクロックを用いる前記同期ソースの優先度は、ネットワークカバレッジ外にある前記ＧＮＳＳクロックを用いない同期ソースの優先度及びネットワークカバレッジ内にあるセルの優先度より高い、又は、
前記ＧＮＳＳクロックを用いる前記同期ソースの優先度は、ネットワークカバレッジ外にある前記ＧＮＳＳクロックを用いない同期ソースの優先度より高いが、ネットワークカバレッジ内にあるセルの優先度より低い、
請求項１に記載の方法。
【請求項５】
前記Ｄ２Ｄ通信システムにおける前記対応する伝送タイムスロットは、フレーム番号及びサブフレーム番号の少なくとも１つである、請求項１から４のいずれか１項に記載の方法。
【請求項６】
前記サイドリンク同期情報は、ＭＩＢ−ＳＬをさらに含み、前記ＭＩＢ−ＳＬは、前記第２の端末及び前記第１の端末のタイムスロットを整合させるために、前記伝送タイムスロットについての情報を含む、請求項２又は３に記載の方法。
【請求項７】
前記第１の端末によって、全球測位衛星システム（ＧＮＳＳ）クロックに従って、デバイスツーデバイス（Ｄ２Ｄ）通信システムにおける現在時刻に対応する伝送タイムスロットを決定する前記段階の前に、前記方法は、
前記第１の端末によって、第２の構成情報を取得する段階
を備え、
前記第１の端末によって、全球測位衛星システム（ＧＮＳＳ）クロックに従って、デバイスツーデバイス（Ｄ２Ｄ）通信システムにおける現在時刻に対応する伝送タイムスロットを決定する前記段階は、
前記第１の端末によって、前記ＧＮＳＳクロック及び前記第２の構成情報に従って、前記Ｄ２Ｄ通信システムにおける前記現在時刻に対応する前記伝送タイムスロットを決定する段階
を含む、
請求項１から４のいずれか１項に記載の方法。
【請求項８】
前記第１の端末によって、第２の構成情報を取得する前記段階は、
前記第１の端末によって、事前設定方式で、前記第２の構成情報を取得する段階、又は、
前記第１の端末がネットワークカバレッジ内にある場合に、前記第１の端末によって、基地局からシステムブロードキャスト情報を受信することによって、前記第２の構成情報を取得する段階、又は、
前記第１の端末がネットワークカバレッジ内にある場合に、前記第１の端末によって、基地局から無線リソース制御（ＲＲＣ）シグナリングを受信することによって、前記第２の構成情報を取得する段階、又は、
前記第１の端末によって、事前設定されたプロトコルに従って、前記第２の構成情報を取得する段階
を含む、
請求項７に記載の方法。
【請求項９】
前記第２の構成情報は、第２のパラメータを含み、
前記第１の端末によって、前記ＧＮＳＳクロック及び前記第２の構成情報に従って、前記Ｄ２Ｄ通信システムにおける前記現在時刻に対応する前記伝送タイムスロットを決定する前記段階は、
前記第１の端末によって、前記ＧＮＳＳクロックに従って、前記現在時刻を決定する段階と、
前記第１の端末によって、事前設定された算出ルールに従って、前記現在時刻及び前記第２のパラメータに従って前記伝送タイムスロットを算出する段階と、
を含む、
請求項７に記載の方法。
【請求項１０】
前記第２のパラメータは、初期参照時刻を含み、
前記第１の端末によって、事前設定された算出ルールに従って、前記現在時刻及び前記第２のパラメータに従って前記伝送タイムスロットを算出する前記段階は、
前記第１の端末によって、前記現在時刻と前記初期参照時刻との間の差を算出する段階と、
前記第１の端末によって、前記事前設定された算出ルール及び前記差に従って、前記Ｄ２Ｄ通信システムにおける前記現在時刻に対応するフレーム番号及びサブフレーム番号を算出する段階と、
を含む、
請求項９に記載の方法。
【請求項１１】
同期通信方法であって、
第２の端末によって、第１の端末からサイドリンク同期情報を取得する段階であって、前記サイドリンク同期情報は、指示情報を保持する、段階と、
前記第２の端末によって、前記指示情報に従って、前記第１の端末がＧＮＳＳクロックを用いる同期ソースであると決定し、前記サイドリンク同期情報に従って、前記第１の端末と同期する段階と、
を備え、
前記サイドリンク同期情報は、サイドリンク同期信号（ＳＬＳＳ）を含み、前記ＳＬＳＳは、主同期信号（ＰＳＳＳ）及び副同期信号（ＳＳＳＳ）を含み、
前記第２の端末によって、前記指示情報に従って、前記第１の端末がＧＮＳＳクロックを用いる同期ソースであると決定する前記段階は、
前記第２の端末によって、専用シーケンスを取得するために前記ＰＳＳＳ及び前記ＳＳＳＳの少なくとも１つを解析する段階であって、前記専用シーケンスは、前記第１の端末が前記ＧＮＳＳクロックを用いる前記同期ソースであることを示すために用いられる、段階と、
前記第２の端末によって、前記専用シーケンスに従って、前記第１の端末が前記ＧＮＳＳクロックを用いる前記同期ソースであると決定する段階と、
を含み、
前記サイドリンク同期情報は、ＭＩＢ−ＳＬをさらに含み、前記ＭＩＢ−ＳＬは、デバイスツーデバイス（Ｄ２Ｄ）システムにおける現在時刻に対応する伝送タイムスロットを含み、
前記第２の端末によって、前記サイドリンク同期情報に従って、前記第１の端末と同期する前記段階は、
前記第２の端末によって、前記ＳＬＳＳに従って、前記第１の端末のタイムスロット境界を取得する段階と、
前記第２の端末によって、前記第２の端末のタイムスロット境界を、前記第１の端末の前記タイムスロット境界に整合させる段階と、
前記Ｄ２Ｄシステムにおける前記現在時刻に対応する前記伝送タイムスロットを、前記第２の端末によって、前記ＭＩＢ−ＳＬに従って決定する段階と、
前記第２の端末によって、前記第２の端末の伝送タイムスロットを、前記第１の端末の前記伝送タイムスロットに整合させる段階と、
を含む、
方法。
【請求項１２】
前記伝送タイムスロットは、サブフレーム番号及びフレーム番号の少なくとも１つである、請求項１１に記載の方法。
【請求項１３】
前記ＧＮＳＳクロックを用いる前記同期ソースの優先度は、前記ＧＮＳＳクロックを用いない同期ソースの優先度より高い、又は、
前記ＧＮＳＳクロックを用いる前記同期ソースの優先度は、ネットワークカバレッジ外にある前記ＧＮＳＳクロックを用いない同期ソースの優先度より高い、又は、
前記ＧＮＳＳクロックを用いる前記同期ソースの優先度は、ネットワークカバレッジ外にある前記ＧＮＳＳクロックを用いない同期ソースの優先度及びネットワークカバレッジ内にあるセルの優先度より高い、又は、
前記ＧＮＳＳクロックを用いる前記同期ソースの優先度は、ネットワークカバレッジ外にある前記ＧＮＳＳクロックを用いない同期ソースの優先度より高いが、ネットワークカバレッジ内にあるセルの優先度より低い、
請求項１１または１２に記載の方法。
【請求項１４】
第１の端末であって、
第１の構成情報を取得する取得モジュールであって、前記第１の構成情報は、第１のパラメータを含む、取得モジュールと、
全球測位衛星システム（ＧＮＳＳ）クロックに従って、デバイスツーデバイス（Ｄ２Ｄ）通信システムにおける現在時刻に対応する伝送タイムスロットを決定する決定モジュールと、
前記決定モジュールによって決定された前記伝送タイムスロット及び前記取得モジュールによって取得された前記第１のパラメータに従って、前記現在時刻が同期情報送信時刻であるか否かを決定する判定モジュールと、
前記判定モジュールが、前記現在時刻が前記同期情報送信時刻であると決定した場合に、前記同期情報送信時刻にサイドリンク同期情報を送信する送信モジュールであって、前記サイドリンク同期情報は、指示情報を保持し、前記サイドリンク同期情報は、第２の端末を前記第１の端末と同期させるために用いられ、前記指示情報は、前記第２の端末に対して、前記第１の端末が前記ＧＮＳＳクロックを用いる同期ソースであることを示すために用いられる、送信モジュールと、
を備える端末。
【請求項１５】
前記取得モジュールは、さらに、第２の構成情報を取得し、
前記決定モジュールは、さらに、前記ＧＮＳＳクロック及び前記取得モジュールによって取得された前記第２の構成情報に従って、前記Ｄ２Ｄ通信システムにおける前記現在時刻に対応する前記伝送タイムスロットを決定する、
請求項１４に記載の端末。
【請求項１６】
前記第２の構成情報は、第２のパラメータを含み、
前記決定モジュールは、さらに、前記ＧＮＳＳクロックに従って、前記現在時刻を決定し、
前記決定モジュールは、さらに、事前設定された算出ルールに従って、前記現在時刻及び前記第２のパラメータに従って前記伝送タイムスロットを算出する、
請求項１５に記載の端末。
【請求項１７】
前記第２のパラメータは、初期参照時刻を含み、
前記決定モジュールは、さらに、前記現在時刻と前記初期参照時刻との間の差を算出し、
前記決定モジュールは、さらに、前記事前設定された算出ルール及び前記差に従って、前記Ｄ２Ｄ通信システムにおける前記現在時刻に対応するフレーム番号及びサブフレーム番号を算出する、
請求項１６に記載の端末。
【請求項１８】
端末であって、
第１の端末からサイドリンク同期情報を取得する取得モジュールであって、前記サイドリンク同期情報は、指示情報を保持する、取得モジュールと、
前記取得モジュールによって取得された前記指示情報に従って、前記第１の端末がＧＮＳＳクロックを用いる同期ソースであると決定する決定モジュールと、
前記サイドリンク同期情報に従って、前記端末を前記第１の端末と同期させる同期モジュールと、
を備え、
前記サイドリンク同期情報は、サイドリンク同期信号（ＳＬＳＳ）を含み、前記ＳＬＳＳは、主同期信号（ＰＳＳＳ）及び副同期信号（ＳＳＳＳ）を含み、
前記決定モジュールは、さらに、専用シーケンスを取得するために、前記ＰＳＳＳ及び前記ＳＳＳＳの少なくとも１つを解析し、前記専用シーケンスは、前記第１の端末が前記ＧＮＳＳクロックを用いる前記同期ソースであることを示すために用いられ、
前記決定モジュールは、さらに、前記専用シーケンスに従って、前記第１の端末が前記ＧＮＳＳクロックを用いる前記同期ソースであると決定し、
前記サイドリンク同期情報は、ＭＩＢ−ＳＬをさらに含み、前記ＭＩＢ−ＳＬは、デバイスツーデバイス（Ｄ２Ｄ）システムにおける現在時刻に対応する伝送タイムスロットを含み、
前記同期モジュールは、さらに、前記ＳＬＳＳに従って、前記第１の端末のタイムスロット境界を取得し、
前記同期モジュールは、さらに、前記端末のタイムスロット境界を、前記第１の端末の前記タイムスロット境界に整合させ、
前記同期モジュールは、さらに、前記Ｄ２Ｄシステムにおける前記現在時刻に対応する前記伝送タイムスロットを、前記ＭＩＢ−ＳＬに従って決定し、
前記同期モジュールは、さらに、前記端末の伝送タイムスロットを、前記第１の端末の前記伝送タイムスロットに整合させる、
端末。
【請求項１９】
請求項１から１３のいずれか１項に記載の方法を、コンピュータに実行させるためのプログラム。
【発明の詳細な説明】
【技術分野】
【０００１】
本発明は、通信分野に関し、特に、同期通信方法及び端末に関する。
【背景技術】
【０００２】
継続的な社会の発展に伴い、自動車がますます普及している。運転は、人の移動を便利にするが、人間社会に対する負の影響をも有する。車両数の急速な増加は、都市交通の混雑、交通事故の頻発、及び環境悪化のような一連の問題を生じさせている。統計によれば、中国では２０１３年にほぼ２００，０００件近くの交通事故が発生し、これによる死亡者は５８，０００名、直接的な経済損失は１０億４千万元を数えた。完璧なインテリジェント交通システム（Ｉｎｔｅｌｌｉｇｅｎｔ  Ｔｒａｎｓｐｏｒｔａｔｉｏｎ  Ｓｙｓｔｅｍ、ＩＴＳ）が、個人の安全、交通効率、環境保護、及び経済的利益のような多くの角度から見て望ましい。現在、ＩＴＳは、当然のことながら、世界の関心の的となっている。
【０００３】
現在、車両は、車両対車両（Ｖｅｈｉｃｌｅ  ｔｏ  Ｖｅｈｉｃｌｅ、Ｖ２Ｖ）通信又は車両対インフラストラクチャ（Ｖｅｈｉｃｌｅ  ｔｏ  Ｉｎｆｒａｓｔｒｕｃｔｕｒｅ、Ｖ２Ｉ）通信によって、タイミング良く、道路状態についての情報を取得する、又は情報サービスを受信することができる。具体的には、車両は、車両スピード、進行方向、及び車両の具体的位置のような情報、ならびに急ブレーキがかけられたか否かについての情報を、Ｖ２Ｖ通信によって周囲の車両にブロードキャストすることができる。ドライバは、その情報を取得した後、見通し外の交通状態をより良く認識することができ、危険な状況を予測及び回避する。Ｖ２Ｉ通信中は、前述した安全情報の交換に加えて、ロードサイドインフラストラクチャは、あらゆる種類のサービス情報及びデータネットワークへのアクセスを、車両にさらに提供してよい。電子料金収集及び車載型エンターテインメントのような機能は、交通インテリジェンスを大幅に向上させる。Ｖ２Ｖ／Ｖ２Ｉ通信によって用いられるネットワークは、車両のインターネットと称される。
【０００４】
ロングタームエボリューション（Ｌｏｎｇ  Ｔｅｒｍ  Ｅｖｏｌｕｔｉｏｎ、ＬＴＥ）は、現在の主流無線通信技術である。デバイスツーデバイス（Ｄｅｖｉｃｅ  ｔｏ  Ｄｅｖｉｃｅ、Ｄ２Ｄ）技術は、重要な特性とみなされており、第３世代パートナーシッププロジェクト（ｔｈｉｒｄ  Ｇｅｎｅｒａｔｉｏｎ  Ｐａｒｔｎｅｒｓｈｉｐ  Ｐｒｏｊｅｃｔ、３ＧＰＰ）ＬＴＥ  Ｒ１２において規格化され、ユーザ端末間の直接通信をサポートする。Ｖ２Ｖ／Ｖ２Ｉ通信のシナリオが端末直接通信にも属することを考慮すると、Ｄ２Ｄ技術は、Ｖ２Ｖ／Ｖ２Ｉサービス伝送に用いられてよい。
【０００５】
既存のＬＴＥ  Ｒ１２  Ｄ２Ｄ通信技術において、端末が、関心のＤ２Ｄ伝送キャリア周波数においてセルを発見可能である場合、端末は、ネットワークカバレッジエリア内にあるとみなされる。さもなければ、端末は、ネットワークカバレッジエリア外にあるとみなされる。ネットワークカバレッジエリア内の端末は、基地局の同期信号を用いることによって、同期を実装する。ネットワークカバレッジエリア外の端末は、Ｄ２Ｄ通信を実行する前に、周囲の同期ソースをサーチする必要がある。信号品質要件を満たす同期ソースが周辺に検出可能である場合、端末は、同期ソースを同期する。さもなければ、端末は、同期信号送信時刻を決定し、対応する時刻に同期信号を送信する同期ソースとして機能する。受信端末が複数の同期ソースを発見した場合、複数の同期ソースが信号品質要件を満たすことを前提として、異なる同期ソースにアクセスするための優先度は、以下の通り区別される。すなわち、ネットワークカバレッジエリア内の同期ソースが、ネットワークカバレッジエリア外の同期ソースに対して優先度を有する。
【０００６】
従来技術では、カバレッジエリア外の端末が同期ソースとして同期信号を送信する場合、異なる同期ソースは非同期である可能性が高く、２つの同期ソース間の非同期は、２つの同期ソースによってカバーされる受信端末間に非同期をもたらす。結果的に、２つの受信端末間における通信が影響を受け、互いに通信不可能となる、又は受信に失敗するという問題が発生することがあり、通信性能に深刻な影響を及ぼす。
【発明の概要】
【０００７】
本発明の実施形態は、非同期によってもたらされるリソース割り当ての不整合及び通信障害を回避し、伝送性能を向上させるための同期通信方法を提供する。
【０００８】
これに鑑み、本発明の実施形態の第１の態様は、同期通信方法を提供する。方法は、
第１の端末によって、第１の構成情報を取得する段階であって、第１の構成情報は、第１のパラメータを含む、段階と、
第１の端末によって、全球測位衛星システムＧＮＳＳクロックに従って、デバイスツーデバイスＤ２Ｄ通信システムにおける現在時刻に対応する伝送タイムスロットを決定する段階と、
第１の端末によって、伝送タイムスロット及び第１のパラメータに従って、現在時刻が同期情報送信時刻であるか否かを決定する段階と、
現在時刻が同期情報送信時刻である場合に、第１の端末によって、同期情報送信時刻にサイドリンク同期情報を送信する段階であって、サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる、段階と、
を含む。
【０００９】
本発明の第１の態様に関連して、本発明の第１の態様の第１の実装において、サイドリンク同期情報は、サイドリンク同期信号ＳＬＳＳを含む。
【００１０】
本発明の第１の態様の第１の実装に関連して、本発明の第１の態様の第２の実装において、ＳＬＳＳは、主サイドリンク同期信号ＰＳＳＳ及び副サイドリンク同期信号ＳＳＳＳを含み、ＰＳＳＳ及び／又はＳＳＳＳは、専用シーケンスを含み、専用シーケンスは、指示情報である。
【００１１】
本発明の第１の態様の第１の実装に関連して、本発明の第１の態様の第３の実装において、ＳＬＳＳは、主サイドリンク同期信号ＰＳＳＳ及び副サイドリンク同期信号ＳＳＳＳを含み、ＰＳＳＳは、第１の専用シーケンスを含み、第１の専用シーケンスは、指示情報であり、ＳＳＳＳは、第２の専用シーケンスを含み、第２の専用シーケンスは、ターゲット指示情報を含み、ターゲット指示情報は、第２の端末に対して、ＧＮＳＳクロックを用いる同期ソースにおける第１の端末の優先度を示すために用いられる。
【００１２】
本発明の第１の態様の第３の実装に関連して、本発明の第１の態様の第４の実装において、ターゲット情報は、第１の端末によって用いられるＧＮＳＳ技術のタイプ、又は第１の端末によって用いられるＧＮＳＳクロックの同期精度、又は優先度識別子を含む。
【００１３】
本発明の第１の態様に関連して、本発明の第１の態様の第５の実装において、サイドリンク情報は、サイドリンクマスタ情報ブロックＭＩＢ−ＳＬを含み、ＭＩＢ−ＳＬは、指示情報を含む。
【００１４】
本発明の第１の態様に関連して、本発明の第１の態様の第６の実装において、
ＧＮＳＳクロックを用いる同期ソースの優先度は、ＧＮＳＳクロックを用いない同期ソースの優先度より高い、又は、
ＧＮＳＳクロックを用いる同期ソースの優先度は、ネットワークカバレッジ外にあるＧＮＳＳクロックを用いない同期ソースの優先度より高い、又は、
ＧＮＳＳクロックを用いる同期ソースの優先度は、ネットワークカバレッジ外にあるＧＮＳＳクロックを用いない同期ソースの優先度及びネットワークカバレッジ内にあるセルの優先度より高い、又は、
ＧＮＳＳクロックを用いる同期ソースの優先度は、ネットワークカバレッジ外にあるＧＮＳＳクロックを用いない同期ソースの優先度より高いが、ネットワークカバレッジ内にあるセルの優先度より低い。
【００１５】
本発明の第１の態様又は本発明の第１の態様の第１から第６の実装のいずれか１つに関連して、本発明の第１の態様の第７の実装において、Ｄ２Ｄ通信システムにおける対応する伝送タイムスロットは、フレーム番号及び／又はサブフレーム番号である。
【００１６】
本発明の第１の態様の第１の実装から第４の実装のいずれか１つに関連して、本発明の実施形態の第１の態様の第８の実装において、サイドリンク同期情報は、ＭＩＢ−ＳＬをさらに含み、ＭＩＢ−ＳＬは、第２の端末及び第１の端末のタイムスロットを整合させるために、伝送タイムスロットについての情報を含む。
【００１７】
本発明の第１の態様又は本発明の第１の態様の第１から第６の実装のいずれか１つに関連して、本発明の第１の態様の第９の実装において、
第１の端末によって、全球測位衛星システムＧＮＳＳクロックに従って、デバイスツーデバイスＤ２Ｄ通信システムにおける現在時刻に対応する伝送タイムスロットを決定する段階の前に、方法は、
第１の端末によって、第２の構成情報を取得する段階
を含み、
第１の端末によって、全球測位衛星システムＧＮＳＳクロックに従って、デバイスツーデバイスＤ２Ｄ通信システムにおける現在時刻に対応する伝送タイムスロットを決定する段階は、
第１の端末によって、ＧＮＳＳクロック及び第２の構成情報に従って、Ｄ２Ｄ通信システムにおける現在時刻に対応する伝送タイムスロットを決定する段階
を含む。
【００１８】
本発明の第１の態様の第９の実装に関連して、本発明の第１の態様の第１０の実装において、
第１の端末によって、第２の構成情報を取得する段階は、
第１の端末によって、事前設定方式で、第２の構成情報を取得する段階、又は、
第１の端末がネットワークカバレッジ内にある場合に、第１の端末によって、基地局によって送信されたシステムブロードキャスト情報を受信することによって、第２の構成情報を取得する段階、又は、
第１の端末がネットワークカバレッジ内にある場合に、第１の端末によって、基地局によって送信された無線リソース制御ＲＲＣシグナリングを受信することによって、第２の構成情報を取得する段階、又は、
第１の端末によって、事前設定されたプロトコルに従って、第２の構成情報を取得する段階
を含む。
【００１９】
本発明の第１の態様の第９の実装に関連して、本発明の第１の態様の第１１の実装において、
第２の構成情報は、第２のパラメータを含み、
第１の端末によって、ＧＮＳＳクロック及び第２の構成情報に従って、Ｄ２Ｄ通信システムにおける現在時刻に対応する伝送タイムスロットを決定する段階は、
第１の端末によって、ＧＮＳＳクロックに従って、現在時刻を決定する段階と、
第１の端末によって、事前設定された算出ルールに従って、現在時刻及び第２のパラメータに従って伝送タイムスロットを算出する段階と、
を含む。
【００２０】
本発明の第１の態様の第１１の実装に関連して、本発明の第１の態様の第１２の実装において、
第２のパラメータは、初期参照時刻を含み、
第１の端末によって、事前設定された算出ルールに従って、現在時刻及び第２のパラメータに従って伝送タイムスロットを算出する段階は、
第１の端末によって、現在時刻と初期参照時刻との間の差を算出する段階と、
第１の端末によって、事前設定された算出ルール及び差に従って、Ｄ２Ｄ通信システムにおける現在時刻に対応するフレーム番号及びサブフレーム番号を算出する段階と、
を含む。
【００２１】
本発明の第１の態様の第１２の実装に関連して、本発明の第１の態様の第１３の実装において、
第１の端末は、フレーム番号ＤＦＮｔを、式
ＤＦＮｔ＝（ａ＊Ｔｄｕｒａｔｉｏｎ）ｍｏｄ  Ｋ１
を用いることによって算出し、
Ｋ１は、フレーム周期の長さであり、Ｔｄｕｒａｔｉｏｎは、差であり、ａは、第１のスケールパラメータであり、第１のスケールパラメータは、差の時間単位をフレーム長さ単位に整合させるために用いられる。
【００２２】
本発明の第１の態様の第１２又は第１３の実装に関連して、本発明の第１の態様の第１４の実装において、
第１の端末は、サブフレーム番号ｓｕｂｆｒａｍｅｔを、式
ｓｕｂｆｒａｍｅｔ＝（ｂ＊Ｔｄｕｒａｔｉｏｎ）ｍｏｄ  Ｋ２
を用いることによって算出し、
Ｋ２は、サブフレーム周期の長さであり、ｂは、第２のスケールパラメータであり、第２のスケールパラメータは、差の時間単位をサブフレーム長さ単位に整合させるために用いられ、Ｔｄｕｒａｔｉｏｎは、差である。
【００２３】
本発明の実施形態の第２の態様は、同期通信方法を提供する。方法は、
第２の端末によって、第１の端末によって送信されたサイドリンク同期情報を取得する段階であって、サイドリンク同期情報は、指示情報を保持する、段階と、
第２の端末によって、指示情報に従って、第１の端末がＧＮＳＳクロックを用いる同期ソースであると決定し、サイドリンク同期情報に従って、第１の端末と同期する段階と、
を含む。
【００２４】
本発明の第２の態様に関連して、本発明の第２の態様の第１の実装において、
サイドリンク同期情報は、サイドリンク同期信号ＳＬＳＳを含み、ＳＬＳＳは、主同期信号ＰＳＳＳ及び副同期信号ＳＳＳＳを含み、
第２の端末によって、指示情報に従って、第１の端末がＧＮＳＳクロックを用いる同期ソースであると決定する段階は、
第２の端末によって、専用シーケンスを取得するためにＰＳＳＳ及び／又はＳＳＳＳを解析する段階であって、専用シーケンスは、第１の端末がＧＮＳＳクロックを用いる同期ソースであることを示すために用いられる、段階と、
第２の端末によって、専用シーケンスに従って、第１の端末がＧＮＳＳクロックを用いる同期ソースであると決定する段階と、
を含む。
【００２５】
本発明の第２の態様に関連して、本発明の第２の態様の第２の実装において、サイドリンクは、サイドリンク同期信号ＳＬＳＳを含み、ＳＬＳＳは、主同期信号ＰＳＳＳ及び副同期信号ＳＳＳＳを含み、
第２の端末によって、指示情報に従って、第１の端末がＧＮＳＳクロックを用いる同期ソースであると決定する段階は、
第２の端末によって、第１の専用シーケンスを取得するためにＰＳＳＳを解析する段階であって、第１の専用シーケンスは、第１の端末がＧＮＳＳクロックを用いる同期ソースであることを示すために用いられる、段階と、
第２の端末によって、第１の専用シーケンスに従って、第１の端末がＧＮＳＳクロックを用いる同期ソースであると決定する段階と、
を含み、
第２の端末によって、サイドリンク同期情報に従って、第１の端末と同期する段階は、
複数の第１の端末が存在する場合に、第２の端末によって、第２の専用シーケンスを取得するためにＳＳＳＳを解析する段階であって、第２の専用シーケンスは、ターゲット指示情報を含み、ターゲット指示情報は、ＧＮＳＳクロックを用いる同期ソースにおける第１の端末の優先度を示すために用いられる、段階と、
第２の端末によって、第２の専用シーケンスに従って、各第１の端末の同期ソース優先度を決定する段階と、
第２の端末によって、複数の第１の端末の中で最も高い同期ソース優先度を有する第１の端末と同期する段階と、
を含む。
【００２６】
本発明の第２の態様の第２の実装に関連して、本発明の第２の態様の第３の実装において、ターゲット情報は、第１の端末によって用いられるＧＮＳＳ技術のタイプ、又は第１の端末によって用いられるＧＮＳＳクロックの同期精度、又は優先度識別子を含む。
【００２７】
本発明の第２の態様に関連して、本発明の第２の態様の第４の実装において、
サイドリンク同期情報は、サイドリンクマスタ情報ブロックＭＩＢ−ＳＬを含み、
第２の端末によって、指示情報に従って、第１の端末がＧＮＳＳクロックを用いる同期ソースであると決定する段階は、
第２の端末によって、指示情報を取得するためにＭＩＢ−ＳＬを解析する段階であって、指示情報は、第１の端末がＧＮＳＳクロックを用いる同期ソースであることを示すために用いられる、段階と、
第２の端末によって、指示情報に従って、第１の端末がＧＮＳＳクロックを用いる同期ソースであると決定する段階と、
を含む。
【００２８】
本発明の第２の態様の第１の実装に関連して、本発明の第２の態様の第５の実装において、
サイドリンク同期情報は、ＭＩＢ−ＳＬをさらに含み、ＭＩＢ−ＳＬは、第１の端末によってＧＮＳＳクロックに従って決定された、Ｄ２Ｄシステムにおける現在時刻に対応する伝送タイムスロットを含み、
第２の端末によって、第１の端末によって送信されたサイドリンク同期情報に従って、第１の端末と同期する段階は、
第２の端末によって、ＳＬＳＳに従って、第１の端末のタイムスロット境界を取得する段階と、
第２の端末によって、第２の端末のタイムスロット境界を、第１の端末のタイムスロット境界に整合させる段階と、
第１の端末によってＧＮＳＳクロックに従って決定された、デバイスツーデバイスＤ２Ｄシステムにおける現在時刻に対応する伝送タイムスロットを、第２の端末によって、ＭＩＢ−ＳＬに従って決定する段階と、
第２の端末によって、第２の端末の伝送タイムスロットを、第１の端末の伝送タイムスロットに整合させる段階と、
を含む。
【００２９】
本発明の第２の態様の第５の実装に関連して、本発明の第２の態様の第６の実装において、伝送タイムスロットは、サブフレーム番号及び／又はフレーム番号である。
【００３０】
本発明の第２の態様又は本発明の第２の態様の第１から第６の実装のいずれか１つに関連して、本発明の第２の態様の第７の実装において、
ＧＮＳＳクロックを用いる同期ソースの優先度は、ＧＮＳＳクロックを用いない同期ソースの優先度より高い、又は、
ＧＮＳＳクロックを用いる同期ソースの優先度は、ネットワークカバレッジ外にあるＧＮＳＳクロックを用いない同期ソースの優先度より高い、又は、
ＧＮＳＳクロックを用いる同期ソースの優先度は、ネットワークカバレッジ外にあるＧＮＳＳクロックを用いない同期ソースの優先度及びネットワークカバレッジ内にあるセルの優先度より高い、又は、
ＧＮＳＳクロックを用いる同期ソースの優先度は、ネットワークカバレッジ外にあるＧＮＳＳクロックを用いない同期ソースの優先度より高いが、ネットワークカバレッジ内にあるセルの優先度より低い。
【００３１】
本発明の実施形態の第３の態様は、端末を提供する。端末は、
第１の構成情報を取得するように構成される取得モジュールであって、第１の構成情報は、第１のパラメータを含む、取得モジュールと、
全球測位衛星システムＧＮＳＳクロックに従って、デバイスツーデバイスＤ２Ｄ通信システムにおける現在時刻に対応する伝送タイムスロットを決定するように構成される決定モジュールと、
決定モジュールによって決定された伝送タイムスロット及び取得モジュールによって取得された第１のパラメータに従って、現在時刻が同期情報送信時刻であるか否かを決定するように構成される判定モジュールと、
判定モジュールが、現在時刻が同期情報送信時刻であると決定した場合に、同期情報送信時刻にサイドリンク同期情報を送信するように構成される送信モジュールであって、サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる、送信モジュールと、
を含む。
【００３２】
本発明の第１の態様に関連して、本発明の第１の態様の第１の実装において、
取得モジュールは、第２の構成情報を取得するようにさらに構成され、
決定モジュールは、ＧＮＳＳクロック及び取得モジュールによって取得された第２の構成情報に従って、Ｄ２Ｄ通信システムにおける現在時刻に対応する伝送タイムスロットを決定するようにさらに構成される。
【００３３】
本発明の第３の態様の第１の実装に関連して、本発明の第３の態様の第２の実装において、
取得モジュールは、事前設定方式で、第２の構成情報を取得するようにさらに構成される、又は、
取得モジュールは、第１の端末がネットワークカバレッジ内にある場合に、基地局によって送信されたシステムブロードキャスト情報を受信することによって、第２の構成情報を取得するようにさらに構成される、又は、
取得モジュールは、第１の端末がネットワークカバレッジ内にある場合に、基地局によって送信されたＲＲＣシグナリングを受信することによって、第２の構成情報を取得するようにさらに構成される、又は、
取得モジュールは、事前設定されたプロトコルに従って、第２の構成情報を取得するようにさらに構成される。
【００３４】
本発明の第１の実装又は第３の態様の第２の実装に関連して、本発明の第３の態様の第３の実装において、
第２の構成情報は、第２のパラメータを含み、
決定モジュールは、ＧＮＳＳクロックに従って、現在時刻を決定するようにさらに構成され、
決定モジュールは、事前設定された算出ルールに従って、現在時刻及び第２のパラメータに従って伝送タイムスロットを算出するようにさらに構成される。
【００３５】
本発明の第３の態様の第３の実装に関連して、本発明の第３の態様の第４の実装において、
第２のパラメータは、初期参照時刻を含み、
決定モジュールは、現在時刻と初期参照時刻との間の差を算出するようにさらに構成され、
決定モジュールは、事前設定された算出ルール及び差に従って、Ｄ２Ｄ通信システムにおける現在時刻に対応するフレーム番号及びサブフレーム番号を算出するようにさらに構成される。
【００３６】
本発明の実施形態の第４の態様は、他の端末を提供する。他の端末は、
第１の端末によって送信されたサイドリンク同期情報を取得するように構成される取得モジュールであって、サイドリンク同期情報は、指示情報を保持する、取得モジュールと、
取得モジュールによって取得された指示情報に従って、第１の端末がＧＮＳＳクロックを用いる同期ソースであると決定するように構成される決定モジュールと、
サイドリンク同期情報に従って、端末を第１の端末と同期させるように構成される同期モジュールと、
を含む。
【００３７】
本発明の第４の態様に関連して、本発明の第４の態様の第１の実装において、
サイドリンク同期情報は、サイドリンク同期信号ＳＬＳＳを含み、ＳＬＳＳは、主同期信号ＰＳＳＳ及び副同期信号ＳＳＳＳを含み、
決定モジュールは、専用シーケンスを取得するために、ＰＳＳＳ及び／又はＳＳＳＳを解析するようにさらに構成され、専用シーケンスは、第１の端末がＧＮＳＳクロックを用いる同期ソースであることを示すために用いられ、
決定モジュールは、専用シーケンスに従って、第１の端末がＧＮＳＳクロックを用いる同期ソースであると決定するようにさらに構成される。
【００３８】
本発明の第４の態様に関連して、本発明の第４の態様の第１の実装において、
サイドリンクは、サイドリンク同期信号ＳＬＳＳを含み、ＳＬＳＳは、主同期信号ＰＳＳＳ及び副同期信号ＳＳＳＳを含み、
決定モジュールは、第１の専用シーケンスを取得するためにＰＳＳＳを解析するようにさらに構成され、第１の専用シーケンスは、第１の端末がＧＮＳＳクロックを用いる同期ソースであることを示すために用いられ、
決定モジュールは、第１の専用シーケンスに従って、第１の端末がＧＮＳＳクロックを用いる同期ソースであると決定するようにさらに構成され、
同期モジュールは、複数の第１の端末が存在する場合に、第２の専用シーケンスを取得するためにＳＳＳＳを解析するようにさらに構成され、第２の専用シーケンスは、ターゲット指示情報を含み、ターゲット指示情報は、ＧＮＳＳクロックを用いる同期ソースにおける第１の端末の優先度を示すために用いられ、
同期モジュールは、第２の専用シーケンスに従って、各第１の端末の同期ソース優先度を決定するようにさらに構成され、
同期モジュールは、端末を、複数の第１の端末の中で最も高い同期ソース優先度を有する第１の端末と同期させるようにさらに構成される。
【００３９】
本発明の第４の態様に関連して、本発明の第４の態様の第３の実装において、
サイドリンク同期情報は、サイドリンクマスタ情報ブロックＭＩＢ−ＳＬを含み、
決定モジュールは、指示情報を取得するためにＭＩＢ−ＳＬを解析するようにさらに構成され、指示情報は、第１の端末がＧＮＳＳクロックを用いる同期ソースであることを示すために用いられ、
決定モジュールは、指示情報に従って、第１の端末がＧＮＳＳクロックを用いる同期ソースであると決定するようにさらに構成される。
【００４０】
本発明の第４の態様の第１の実装に関連して、本発明の第４の態様の第４の実装において、
サイドリンク同期情報は、ＭＩＢ−ＳＬをさらに含み、ＭＩＢ−ＳＬは、第１の端末によってＧＮＳＳクロックに従って決定された、Ｄ２Ｄシステムにおける現在時刻に対応する伝送タイムスロットを含み、
同期モジュールは、ＳＬＳＳに従って、第１の端末のタイムスロット境界を取得するようにさらに構成され、
同期モジュールは、端末のタイムスロット境界を、第１の端末のタイムスロット境界に整合させるようにさらに構成され、
同期モジュールは、第１の端末によってＧＮＳＳクロックに従って決定された、デバイスツーデバイスＤ２Ｄシステムにおける現在時刻に対応する伝送タイムスロットを、ＭＩＢ−ＳＬに従って決定するようにさらに構成され、
同期モジュールは、端末の伝送タイムスロットを、第１の端末の伝送タイムスロットに整合させるようにさらに構成される。
【００４１】
本発明の第５の態様は、無線周波数モジュールと、プロセッサと、メモリと、を含む端末を提供する。
プロセッサは、
ＧＮＳＳクロックに従って、Ｄ２Ｄシステムにおける現在時刻に対応する伝送タイムスロットを決定する手順と、
伝送タイムスロット及び第１のパラメータに従って、現在時刻が同期情報送信時刻であるか否かを決定する手順と、
を実行するように構成され、
無線周波数モジュールは、
第１の構成情報を取得する手順であって、第１の構成情報は、第１のパラメータを含む、手順と、
プロセッサが、現在時刻が同期情報送信時刻であると決定した場合に、同期情報送信時刻にサイドリンク同期情報を送信する手順であって、サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる、手順と、
を実行するように構成される。
【００４２】
本発明の第５の態様に関連して、本発明の第５の態様の第１の実装において、
無線周波数モジュールは、
第２の構成情報を取得する手順と、
ＧＮＳＳクロック及び第２の構成情報に従って、Ｄ２Ｄ通信システムにおける現在時刻に対応する伝送タイムスロットを決定する手順と、
を実行するようにさらに構成される。
【００４３】
本発明の第５の態様の第１の実装に関連して、本発明の第５の態様の第２の実装において、
プロセッサは、具体的には、
事前設定方式で、第２の構成情報を取得する手順、もしくは、
事前設定されたプロトコルに従って、第２の構成情報を取得する手順
を実行する、又は、
無線周波数モジュールは、具体的には、
第１の端末がネットワークカバレッジ内にある場合に、基地局によって送信されたシステムブロードキャスト情報を受信することによって、第２の構成情報を取得する手順、もしくは、
第１の端末がネットワークカバレッジ内にある場合に、基地局によって送信されたＲＲＣシグナリングを受信することによって、第２の構成情報を取得する手順
を実行する。
【００４４】
本発明の第５の態様の第１又は第２の実装に関連して、本発明の第５の態様の第３の実装において、
第２の構成情報は、第２のパラメータを含み、
プロセッサは、具体的には、
ＧＮＳＳクロックに従って、現在時刻を決定する手順と、
事前設定された算出ルールに従って、現在時刻及び第２のパラメータに従って伝送タイムスロットを算出する手順と、
を実行する。
【００４５】
本発明の第５の態様の第３の実装に関連して、本発明の実施形態の第４の実装において、
第２のパラメータは、初期参照時刻を含み、
プロセッサは、具体的には、
現在時刻と初期参照時刻との間の差を算出する手順と、
事前設定された算出ルール及び差に従って、Ｄ２Ｄ通信システムにおける現在時刻に対応するフレーム番号及びサブフレーム番号を算出する手順と、
を実行する。
【００４６】
本発明の実施形態の第６の態様は、無線周波数モジュールと、プロセッサと、メモリと、を含む端末を提供する。
無線周波数モジュールは、
第１の端末によって送信されたサイドリンク同期情報を取得する手順であって、サイドリンク同期情報は、指示情報を保持する、手順
を実行し、
プロセッサは、
第１の端末によって送信されたサイドリンク同期情報を取得する手順であって、サイドリンク同期情報は、指示情報を保持する、手順と、
サイドリンク同期情報に従って、端末を第１の端末と同期させる手順と、
を実行する。
【００４７】
本発明の実施形態の第６の態様に関連して、本発明の第６の態様の第１の実装において、
サイドリンク同期情報は、サイドリンク同期信号ＳＬＳＳを含み、ＳＬＳＳは、主同期信号ＰＳＳＳ及び副同期信号ＳＳＳＳを含み、
プロセッサは、具体的には、
専用シーケンスを取得するためにＰＳＳＳ及び／又はＳＳＳＳを解析する手順であって、専用シーケンスは、第１の端末がＧＮＳＳクロックを用いる同期ソースであることを示すために用いられる、手順と、
専用シーケンスに従って、第１の端末がＧＮＳＳクロックを用いる同期ソースであると決定する手順と、
を実行する。
【００４８】
本発明の第６の態様に関連して、本発明の第６の態様の第２の実装において、
サイドリンクは、サイドリンク同期信号ＳＬＳＳを含み、ＳＬＳＳは、主同期信号ＰＳＳＳ及び副同期信号ＳＳＳＳを含み、
プロセッサは、具体的には、
第１の専用シーケンスを取得するためにＰＳＳＳを解析する手順であって、第１の専用シーケンスは、第１の端末がＧＮＳＳクロックを用いる同期ソースであることを示すために用いられる、手順と、
第１の専用シーケンスに従って、第１の端末がＧＮＳＳクロックを用いる同期ソースであると決定する手順と、
複数の第１の端末が存在する場合に、第２の専用シーケンスを取得するためにＳＳＳＳを解析する手順であって、第２の専用シーケンスは、ターゲット指示情報を含み、ターゲット指示情報は、ＧＮＳＳクロックを用いる同期ソースにおける第１の端末の優先度を示すために用いられる、手順と、
第２の専用シーケンスに従って、各第１の端末の同期ソース優先度を決定する手順と、
端末を、複数の第１の端末の中で最も高い同期ソース優先度を有する第１の端末と同期させる手順と、
を実行する。
【００４９】
本発明の第６の態様に関連して、本発明の第６の態様の第３の実装において、
サイドリンク同期情報は、サイドリンクマスタ情報ブロックＭＩＢ−ＳＬを含み、
プロセッサは、具体的には、
指示情報を取得するためにＭＩＢ−ＳＬを解析する手順であって、指示情報は、第１の端末がＧＮＳＳクロックを用いる同期ソースであることを示すために用いられる、手順と、
指示情報に従って、第１の端末がＧＮＳＳクロックを用いる同期ソースであると決定する手順と、
を実行する。
【００５０】
本発明の第６の態様の第１の実装に関連して、本発明の第６の態様の第４の実装において、
サイドリンク同期情報は、ＭＩＢ−ＳＬをさらに含み、ＭＩＢ−ＳＬは、第１の端末によってＧＮＳＳクロックに従って決定された、Ｄ２Ｄシステムにおける現在時刻に対応する伝送タイムスロットを含み、
プロセッサは、
ＳＬＳＳに従って、第１の端末のタイムスロット境界を取得する手順と、
端末のタイムスロット境界を、第１の端末のタイムスロット境界に整合させる手順と、
ＭＩＢ−ＳＬに従って、第１の端末によってＧＮＳＳクロックに従って決定された、Ｄ２Ｄシステムにおける現在時刻に対応する伝送タイムスロットを決定する手順と、
第２の端末の伝送タイムスロットを、第１の端末の伝送タイムスロットに整合させる手順と、
を実行するようにさらに構成される。
【００５１】
前述の技術的解決手段から、本発明の実施形態が以下の利点を有することが認識されよう。
【００５２】
本発明の実施形態において、第１の端末は、全球測位衛星システム（Ｇｌｏｂａｌ  Ｎａｖｉｇａｔｉｏｎ  Ｓａｔｅｌｌｉｔｅ  Ｓｙｓｔｅｍ、ＧＮＳＳ）クロックに従って、Ｄ２Ｄ通信システムにおける現在時刻に対応する伝送タイムスロットを決定し、伝送タイムスロット及び第１のパラメータに従って、現在時刻が同期情報送信時刻であるか否かを決定してよい。現在時刻が同期情報送信時刻である場合に、第１の端末は、同期情報送信時刻にサイドリンク同期情報を送信する。サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる。ＧＮＳＳクロックは一様なタイミング及び高精度を有するので、異なる端末によって、ＧＮＳＳクロックを用いることによって決定された伝送タイムスロットが一致し、送信時刻も一致する。従って、このタイプの同期ソースにアクセスする第２の端末も同期されることにより、非同期によってもたらされるリソース割り当ての不整合及び通信障害を回避し、伝送性能を向上させることができる。
【図面の簡単な説明】
【００５３】
本発明の実施形態における技術的解決手段をより明確に説明すべく、以下、実施形態を説明するために必要な添付図面を簡潔に説明する。以下の説明における添付図面は、本発明のいくつかの実施形態を示しているに過ぎず、当業者であれば、これらの添付図面から、創造的努力なく他の図面をさらに導出し得ることは明らかである。
【００５４】
【図１】本発明の実施形態に係る同期通信方法の実施形態の模式図である。
【００５５】
【図２】本発明の実施形態に係る同期通信方法の他の実施形態の模式図である。
【００５６】
【図３】本発明の実施形態に係る同期通信方法の他の実施形態の模式図である。
【００５７】
【図４】本発明の実施形態に係る端末の実施形態の模式図である。
【００５８】
【図５】本発明の実施形態に係る端末の他の実施形態の模式図である。
【００５９】
【図６】本発明の実施形態に係る端末の他の実施形態の模式図である。
【発明を実施するための形態】
【００６０】
以下、本発明の実施形態における添付図面に関連して、本発明の実施形態における技術的解決手段を明確かつ十分に説明する。説明される実施形態は、本発明の実施形態の一部に過ぎず、全てではないことは明らかである。本発明の実施形態に基づいて、創造的努力なく当業者によって得られた全ての他の実施形態は、本発明の保護範囲に属するものとする。
【００６１】
本発明の明細書、特許請求の範囲、及び添付図面において、（存在する場合には）用語「第１」、「第２」、「第３」、「第４」等は、同様のオブジェクト間を区別することが意図されるものであり、必ずしも具体的な順序又は順番を示すものではない。このように称されるデータが、適切な状況では交換可能であることにより、本明細書において説明される本発明の実施形態は、本明細書において図示又は説明される順序以外の順序で実装可能であることを理解されたい。さらに、用語「含む（ｉｎｃｌｕｄｅ）」、「含む（ｃｏｎｔａｉｎ）」、及び任意の他の派生語は、非排他的に含むことを網羅することを意味する。例えば、一連の段階又はユニットを含むプロセス、方法、システム、製品、又はデバイスは、明確に列挙されたこれらの段階又はユニットに必ずしも限定されるものではなく、明示的に列挙されていない、又はこのようなプロセス、方法、システム、製品もしくはデバイスが本来的に備える他のユニットを含んでよい。
【００６２】
本発明の実施形態の技術的解決手段は、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、ロングタームエボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、又はワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷＩＭＡＸ）通信システムのような、様々な通信システムに適用されてよいことを理解されたい。
【００６３】
本発明の実施形態において、第１の端末又は第２の端末は、限定されるものではないが、ユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、モバイル端末（Ｍｏｂｉｌｅ  Ｔｅｒｍｉｎａｌ）、携帯電話（Ｍｏｂｉｌｅ  Ｔｅｌｅｐｈｏｎｅ）、ハンドセット（ｈａｎｄｓｅｔ）、ポータブル機器（ｐｏｒｔａｂｌｅ  ｅｑｕｉｐｍｅｎｔ）等を含むことをさらに理解されたい。ユーザ機器は、無線アクセスネットワーク（Ｒａｄｉｏ  Ａｃｃｅｓｓ  Ｎｅｔｗｏｒｋ、ＲＡＮ）を用いることによって、１つ又は複数のコアネットワークと通信を行ってよい。例えば、ユーザ機器は、携帯電話（又は「セルラ」電話と称される）、又は無線通信機能を有するコンピュータであってよい。ユーザ機器は、さらに、ポータブル、ポケットサイズ、ハンドヘルド、コンピュータ埋め込み型、又は車載型のモバイル装置であってよい。
【００６４】
本発明の実施形態において、基地局は、ＧＳＭ又はＣＤＭＡにおけるベーストランシーバ基地局（Ｂａｓｅ  Ｔｒａｎｓｃｅｉｖｅｒ  Ｓｔａｔｉｏｎ、ＢＴＳ）であってよく、又はＷＣＤＭＡにおけるＮｏｄｅＢ（ＮｏｄｅＢ）であってよく、又はＬＴＥにおける発展型ＮｏｄｅＢ（ｅｖｏｌｖｅｄ  Ｎｏｄｅ  Ｂ、ｅＮＢ）であってよい。これは、本発明の実施形態において限定されるものではない。
【００６５】
本発明の実施形態は、非同期によってもたらされるリソース割り当ての不整合及び通信障害を回避し、伝送性能を向上させるための同期通信方法及び端末を提供する。
【００６６】
第１に、本発明の実施形態における同期通信が、第１の端末の観点から後述される。図１を参照すると、本発明の実施形態における同期通信の実施形態は、以下の段階を含む。
【００６７】
１０１．第１の端末は、第１の構成情報を取得する。
【００６８】
第１の端末は、第１の構成情報を取得する。第１の構成情報は、第１のパラメータを含み、第１のパラメータは、具体的な時刻が同期情報送信時刻であるか否かを決定するために用いられる。第１の端末は、事前設定方式で、第１の構成情報を取得してよい、又は、事前設定されたプロトコルに従って、第１の構成情報を取得してよい、又は、第１の端末がネットワークカバレッジ内にある場合に、基地局によって送信されたシステムブロードキャスト情報もしくは無線リソース制御（Ｒａｄｉｏ  Ｒｅｓｏｕｒｃｅ  Ｃｏｎｔｒｏｌ、ＲＲＣ）シグナリングを受信し、次に、ブロードキャスト情報もしくはＲＲＣシグナリングから第１の構成情報を取得してよいことに留意されたい。あるいは、第１の端末は、他の方式で、第１の構成情報を取得してよい。これは、具体的には、本明細書において限定されない。
【００６９】
１０２．第１の端末は、ＧＮＳＳクロックに従って、Ｄ２Ｄ通信システムにおける現在時刻に対応する伝送タイムスロットを決定する。
【００７０】
第１の端末が、同期ソースとして他の端末とＤ２Ｄ通信を実行する必要がある場合、第１の端末は、ＧＮＳＳクロックに従って、Ｄ２Ｄ通信システムにおける現在時刻に対応する伝送タイムスロットを決定する。
【００７１】
ＧＮＳＳは、世界的、地域的、及び補強版、例えば、米国のグローバルポジショニングシステム（Ｇｌｏｂａｌ  Ｐｏｓｉｔｉｏｎｉｎｇ  Ｓｙｓｔｅｍ、ＧＰＳ）、ロシアのグロナス（Ｇｌｏｎａｓｓ）測位衛星システム、欧州のガリレオ（Ｇａｌｉｌｅｏ）衛星ポジショニングシステム、中国の北斗測位衛星システム、及び米国の広域補強システム（Ｗｉｄｅ  Ａｒｅａ  Ａｕｇｍｅｎｔａｔｉｏｎ  Ｓｙｓｔｅｍ、ＷＡＡＳ）、欧州の欧州静止衛星測位オーバレイシステム、日本の多目的衛星補強システム（Ｍｕｌｔｉ−Ｆｕｎｃｔｉｏｎａｌ  Ｓａｔｅｌｌｉｔｅ  Ａｕｇｍｅｎｔａｔｉｏｎ  Ｓｙｓｔｅｍ、ＭＳＡＳ）のような関連する補強版システムを含み、開発中の及び将来開発される他の測位衛星システムをさらに含む、全ての測位衛星システムに対する汎用的な用語であることに留意されたい。
【００７２】
１０３．第１の端末は、伝送タイムスロット及び第１のパラメータに従って、現在時刻が同期情報送信時刻であるか否かを決定し、現在時刻が同期情報送信時刻である場合に、段階１０４が実行される。
【００７３】
Ｄ２Ｄ通信システムにおける現在時刻に対応する伝送タイムスロットを決定した後で、第１の端末は、伝送タイムスロット及び第１のパラメータに従って、現在時刻が同期情報送信時刻であるか否かを決定する。現在時刻が同期情報送信時刻である場合に、段階１０４が実行される。
【００７４】
１０４．第１の端末は、同期情報送信時刻にサイドリンク同期情報を送信する。
【００７５】
第１の端末が、現在時刻が同期情報送信時刻であると決定した場合に、第１の端末は、同期情報送信時刻にサイドリンク同期情報を送信する。サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる。
【００７６】
本発明の本実施形態において、第１の端末は、ＧＮＳＳクロックに従って、Ｄ２Ｄ通信システムにおける現在時刻に対応する伝送タイムスロットを決定し、伝送タイムスロット及び第１のパラメータに従って、現在時刻が同期情報送信時刻であるか否かを決定してよい。現在時刻が同期情報送信時刻である場合に、第１の端末は、同期情報送信時刻にサイドリンク同期情報を送信する。サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる。ＧＮＳＳクロックは一様なタイミング及び高精度を有するので、異なる端末によって、ＧＮＳＳクロックを用いることによって決定された伝送タイムスロットが一致し、送信時刻も一致する。従って、このタイプの同期ソースにアクセスする第２の端末も同期されることにより、非同期によってもたらされるリソース割り当ての不整合及び通信障害を回避し、伝送性能を向上させてよい。
【００７７】
理解を容易ならしめるべく、本発明の実施形態における第１の端末側の同期通信方法は、詳細に後述される。図２を参照すると、本発明の実施形態における同期通信方法の他の実施形態は、以下の段階を含む。
【００７８】
２０１．第１の端末は、第１の構成情報を取得する。
【００７９】
第１の端末は、第１の構成情報を取得する。第１の構成情報は、第１のパラメータを含み、第１のパラメータは、具体的な時刻が同期情報送信時刻であるか否かを決定するために用いられる。第１の端末は、事前設定方式で、第１の構成情報を取得してよい、又は、事前設定されたプロトコルに従って、第１の構成情報を取得してよい、又は、第１の端末がネットワークカバレッジ内にある場合に、基地局によって送信されたシステムブロードキャスト情報もしくはＲＲＣシグナリングを受信し、次に、ブロードキャスト情報もしくはＲＲＣシグナリングから第１の構成情報を取得してよいことに留意されたい。あるいは、第１の端末は、他の方式で、第１の構成情報を取得してよい。これは、具体的には、本明細書において限定されない。
【００８０】
第１の構成情報は、時刻が同期情報送信時刻であるか否かを決定するための決定ルールをさらに含んでよく、他の情報をさらに含んでよいことに、さらに留意されたい。これは、具体的には、本明細書において限定されない。
【００８１】
２０２．第１の端末は、第２の構成情報を取得する。
【００８２】
第１の端末は、第２の構成情報を取得する。第１の端末は、事前設定方式で、第２の構成情報を取得してよい、又は、事前設定されたプロトコルに従って、第２の構成情報を取得してよい、又は、第１の端末がネットワークカバレッジ内にある場合に、基地局によって送信されたシステムブロードキャスト情報もしくはＲＲＣシグナリングを受信し、次に、ブロードキャスト情報もしくはＲＲＣシグナリングから第２の構成情報を取得してよいことに留意されたい。あるいは、第１の端末は、他の方式で、第２の構成情報を取得してよい。これは、具体的には、本明細書において限定されない。
【００８３】
第２の構成情報は、現在のタイムスロットを算出するための算出ルール又は第２のパラメータをさらに含んでよく、他の情報をさらに含んでよいことに、さらに留意されたい。これは、具体的には、本明細書において限定されない。
【００８４】
２０３．第１の端末は、ＧＮＳＳクロック及び第２の構成情報に従って、Ｄ２Ｄ通信システムにおける現在時刻に対応する伝送タイムスロットを決定する。
【００８５】
第１の端末が第２の構成情報を取得した後で、第１の端末が、同期ソースとして他の端末とＤ２Ｄ通信を実行する必要がある場合に、第１の端末は、ＧＮＳＳクロック及び第２の構成情報に従って、Ｄ２Ｄ通信システムにおける現在時刻に対応する伝送タイムスロットを決定する。
【００８６】
伝送タイムスロットは、フレーム番号であってよい、サブフレーム番号であってよい、フレーム番号及びサブフレーム番号であってよい、又は他の情報であってよいことに留意されたい。これは、具体的には、本明細書において限定されない。
【００８７】
第２の構成情報が第２のパラメータを含む場合に、第１の端末は、以下の方式、すなわち、
第１の端末によって、ＧＮＳＳクロックに従って、現在時刻を決定し、次に、事前設定された算出ルールに従って、現在時刻及び第２のパラメータに従って伝送タイムスロットを算出する
方式で、Ｄ２Ｄ通信システムにおける現在時刻に対応する伝送タイムスロットを決定する。
【００８８】
第１の端末が伝送タイムスロットを算出する方式は、第２のパラメータに従って変化する。以下の説明において、例えば、第２のパラメータは、初期参照時刻を含む。第２のパラメータが初期参照時刻を含む場合に、第１の端末は、事前設定された算出ルールに従って、以下の方式、すなわち、
第１の端末によって、現在時刻と初期参照時刻との間の差を算出し、差に従って、Ｄ２Ｄ通信システムにおける現在時刻に対応するフレーム番号及びサブフレーム番号を算出する
方式で、伝送タイムスロットを算出してよい。
【００８９】
具体的には、差に従って、第１の端末は、式（１）を用いることによって、フレーム番号ＤＦＮｔを算出し、式（２）を用いることによって、サブフレーム番号ｓｕｂｆｒａｍｅｔを算出してよい。
ＤＦＮｔ＝（ａ＊Ｔｄｕｒａｔｉｏｎ）ｍｏｄ  Ｋ１
（１）、及び
ｓｕｂｆｒａｍｅｔ＝（ｂ＊Ｔｄｕｒａｔｉｏｎ）ｍｏｄ  Ｋ２  （２）
ここで、Ｋ１は、フレーム周期の長さであり、Ｔｄｕｒａｔｉｏｎは、差であり、ａは、第１のスケールパラメータであり、第１のスケールパラメータは、差の時間単位をフレーム長さ単位に整合させるために用いられ、Ｋ２は、サブフレーム周期の長さであり、ｂは、第２のスケールパラメータであり、第２のスケールパラメータは、差の時間単位をサブフレーム長さ単位に整合させるために用いられる。
【００９０】
第２の構成情報は、伝送タイムスロットを算出するための算出ルールも含んでよく、他の情報をさらに含んでよいことに留意されたい。これは、具体的には、本明細書において限定されない。第２の構成情報が算出ルールを含む場合に、第１の端末は、現在時刻及び第２のパラメータに従って、かつ、第２の構成情報に含まれる算出ルールに従って、伝送タイムスロットを算出してよい。あるいは、第１の端末は、他の方式に従って、伝送タイムスロットを算出してよい。これは、具体的には、本明細書において限定されない。
【００９１】
２０４．第１の端末は、伝送タイムスロット及び第１のパラメータに従って、現在時刻が同期情報送信時刻であるか否かを決定し、現在時刻が同期情報送信時刻である場合に、段階２０５が実行される、又は、現在時刻が同期情報送信時刻ではない場合に、段階２０６が実行される。
【００９２】
Ｄ２Ｄ通信システムにおける現在時刻に対応する伝送タイムスロットを決定した後で、第１の端末は、伝送タイムスロット及び第１のパラメータに従って、現在時刻が同期情報送信時刻であるか否かを決定する。現在時刻が同期情報送信時刻である場合に、段階２０４が実行される。具体的には、第１の端末は、第１のパラメータに従って、かつ、決定ルールに従って、伝送タイムスロットが事前設定された条件を満たすか否かを決定してよく、伝送タイムスロットが事前設定された条件を満たす場合に、第１の端末は、現在時刻が同期情報送信時刻であると決定する。さらに、第１のパラメータがオフセットを含み、かつ、伝送タイムスロットがフレーム番号及びサブフレーム番号である場合に、第１の端末は、フレーム番号及びサブフレーム番号が以下の式を満たすか否かを決定する。
（ｃ＊ＤＦＮｔ＋ｓｕｂｆｒａｍｅｔ）ｍｏｄ  Ｋ３＝ｓｙｎｃＯｆｆｓｅｔＩｎｄｉｃａｔｏｒ  （３）
ここで、ｓｕｂｆｒａｍｅｔは、サブフレーム番号であり、ＤＦＮｔは、フレーム番号であり、ｃは、１つのフレームに含まれるサブフレームの数であり、Ｋ３は、同期送信周期であり、は、ｓｙｎｃＯｆｆｓｅｔＩｎｄｉｃａｔｏｒは、オフセットである。
【００９３】
第１の端末が、フレーム番号及びサブフレーム番号が式（３）を満たすと決定した場合に、第１の端末は、伝送タイムスロットが事前設定された条件を満たすと決定し、現在時刻が同期情報送信時刻であると決定する。
【００９４】
第１の端末は、他の方式に従って、現在時刻が同期情報送信時刻であるか否かを決定してもよいことに留意されたい。これは、具体的には、本明細書において限定されない。
【００９５】
２０５．第１の端末は、同期情報送信時刻にサイドリンク同期情報を送信する。
【００９６】
第１の端末が、現在時刻が同期情報送信時刻であると決定した場合に、第１の端末は、同期情報送信時刻にサイドリンク同期情報を送信する。サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる。
【００９７】
サイドリンク同期情報は、サイドリンク同期信号（Ｓｉｄｅｌｉｎｋ  Ｓｙｎｃｈｒｏｎｉｓａｔｉｏｎ  Ｓｉｇｎａｌ、ＳＬＳＳ）を含み、ＳＬＳＳは、主同期信号（Ｐｒｉｍａｒｙ  Ｓｉｄｅｌｉｎｋ  Ｓｙｎｃｈｒｏｎｉｓａｔｉｏｎ  Ｓｉｇｎａｌ、ＰＳＳＳ）及び副同期信号（Ｓｅｃｏｎｄａｒｙ  Ｓｉｄｅｌｉｎｋ  Ｓｙｎｃｈｒｏｎｉｓａｔｉｏｎ  Ｓｉｇｎａｌ、ＳＳＳＳ）を含み、指示情報は、専用シーケンスであってよいことが理解されよう。専用シーケンスはＰＳＳＳに含まれてよく、又は、専用シーケンスはＳＳＳＳに含まれてよい。又は、専用シーケンスの一部分はＰＳＳＳに含まれ、当該シーケンスの他の部分はＳＳＳＳに含まれ、ＰＳＳＳ及びＳＳＳＳにおけるシーケンスの部分は、共同で専用シーケンスを形成する。
【００９８】
指示情報を保持することに加えて、サイドリンク同期情報は、ターゲット指示情報をさらに保持してよい。ターゲット指示情報は、第２の端末に対して、ＧＮＳＳクロックを用いる同期ソースにおける第１の端末の優先度を示すために用いられる。指示情報は、ＰＳＳＳに含まれる第１の専用シーケンスであってよく、ターゲット指示情報は、ＳＳＳＳに含まれる第２の専用シーケンスであってよい。このように、指示情報に従って、第１の端末がＧＮＳＳクロックを用いる同期ソースであると決定した後で、第２の端末は、第２の専用シーケンスに従って、ＧＮＳＳクロックを用いる同期ソースにおける第１の端末の優先度をさらに決定してよい。ターゲット情報は、第１の端末によって用いられるＧＮＳＳ技術のタイプ、又は第１の端末によって用いられるＧＮＳＳクロックの精度、又は優先度識別子を含んでよく、他の情報をさらに含んでよいことに留意されたい。これは、具体的には、本明細書において限定されない。
【００９９】
前述した４つのケースに基づいて、サイドリンク同期情報は、サイドリンクマスタ情報ブロック（ＭａｓｔｅｒＩｎｆｏｒｍａｔｉｏｎＢｌｏｃｋ−ＳＬ、ＭＩＢ−ＳＬ）をさらに含んでよく、ＭＩＢ−ＳＬは、伝送タイムスロットについての情報を含むことにより、第２の端末は、伝送タイムスロットについての情報に従って伝送タイムスロットを決定し、伝送タイムスロットに従って、第１の端末とのタイムスロット整合を実行することができる。
【０１００】
あるいは、サイドリンク同期情報は、ＭＩＢ−ＳＬ及びＳＬＳＳを含み、ＭＩＢ−ＳＬは、指示情報を含む。任意選択的に、ＭＩＢ−ＳＬが伝送タイムスロットについての情報をさらに含んでよいことにより、第２の端末は、伝送タイムスロットについての情報に従って伝送タイムスロットを決定し、伝送タイムスロットに従って、第１の端末とのタイムスロット整合を実行することができる。
【０１０１】
２０６．第１の端末は、他の手順を実行する。
【０１０２】
第１の端末が、現在時刻が同期情報送信時刻ではないと決定した場合に、第１の端末は、他の手順を実行する。例えば、第１の端末は、次の時刻に、段階２０３〜段階２０５に戻ってよい。
【０１０３】
本発明の本実施形態において、同期ソースの優先度は、基地局によって事前設定され、本発明の本実施形態において、ＧＮＳＳクロックを用いる同期ソースの優先度は、ネットワークカバレッジ外にあるＧＮＳＳクロックを用いない同期ソースの優先度及びネットワークカバレッジ内にある同期ソースの優先度より高くてよい、又は、ネットワークカバレッジ外にあるＧＮＳＳクロックを用いない同期ソースの優先度のみより高くてよい、又は、ネットワークカバレッジ外にあるＧＮＳＳクロックを用いない同期ソースの優先度より高いが、ネットワークカバレッジ内にある同期ソースの優先度より低くてよいことに留意されたい。ネットワークカバレッジ内にある同期ソースは、基地局であってよく、又はＧＮＳＳクロックを用いない端末タイプの同期ソースであってよい。これは、具体的には、本明細書において限定されない。
【０１０４】
本発明の本実施形態において、段階２０２及び段階２０１の順番は、限定されるものではないことにさらに留意されたい。段階２０２は、段階２０３の前に実行され、段階２０１の前又は段階２０１の後に実行されてよい。これは、具体的には、本明細書において限定されない。
【０１０５】
本発明の本実施形態において、第１の端末は、ＧＮＳＳクロックに従って、Ｄ２Ｄ通信システムにおける現在時刻に対応する伝送タイムスロットを決定し、伝送タイムスロット及び第１の構成情報に従って、現在時刻が同期情報送信時刻であるか否かを決定してよい。現在時刻が同期情報送信時刻である場合に、第１の端末は、同期情報送信時刻にサイドリンク同期情報を送信する。サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる。ＧＮＳＳクロックは一様なタイミング及び高精度を有するので、異なる端末によって、ＧＮＳＳクロックを用いることによって決定された伝送タイムスロットが一致し、送信時刻も一致する。従って、このタイプの同期ソースにアクセスする第２の端末も同期されることにより、非同期によってもたらされるリソース割り当ての不整合及び通信障害を回避し、伝送性能を向上させてよい。
【０１０６】
さらに、本発明の本実施形態において、指示情報は、複数の方式で、サイドリンク同期情報に保持されてよく、端末は、複数の方式で、ＧＮＳＳクロックに従って、Ｄ２Ｄ通信システムにおける現在時刻に対応する伝送タイムスロットを決定することにより、解決手段の柔軟性を向上させてよい。
【０１０７】
以上、第１の端末の観点から、本発明の実施形態における同期通信方法を説明した。以下、第２の端末の観点から、本発明の実施形態における同期通信方法を説明する。図３を参照すると、本発明の実施形態における同期通信方法の他の実施形態は、以下の段階を含む。
【０１０８】
３０１．第２の端末は、第１の端末によって送信されたサイドリンク同期情報を取得する。
【０１０９】
第１の端末は、ＧＮＳＳクロックに従って、Ｄ２Ｄ通信システムにおける現在時刻に対応する伝送タイムスロットを決定し、伝送タイムスロット及び第１の構成情報に従って、現在時刻が同期情報送信時刻であると決定し、同期情報送信時刻にサイドリンク同期情報を送信する。サイドリンク同期情報は、指示情報を保持する。この場合、第２の端末は、第１の端末の周辺にあり、同期ソースと同期する必要がある。第２の端末は、第１の端末によって送信されたサイドリンク同期情報を発見し、第１の端末によって送信されたサイドリンク同期情報を取得する。サイドリンク同期情報は、指示情報を保持する。
【０１１０】
３０２．第２の端末は、指示情報に従って、第１の端末がＧＮＳＳクロックを用いる同期ソースであると決定し、サイドリンク同期情報に従って、第１の端末と同期する。
【０１１１】
第１の端末によって送信されたサイドリンク同期情報を取得した後で、第２の端末は、サイドリンク同期情報に保持される指示情報に従って、第１の端末がＧＮＳＳクロックを用いる同期ソースであると決定し、サイドリンク同期情報に従って、第１の端末と同期する。
【０１１２】
本発明の本実施形態において、第１の端末は、全球測位衛星システムＧＮＳＳクロックに従って、Ｄ２Ｄ通信システムにおける現在時刻に対応する伝送タイムスロットを決定し、伝送タイムスロット及び第１の構成情報に従って、現在時刻が同期情報送信時刻であると決定し、同期情報送信時刻にサイドリンク同期情報を送信してよい。サイドリンク同期情報は、指示情報を保持する。第２の端末は、指示情報に従って、第１の端末がＧＮＳＳクロックを用いる同期ソースであると決定し、サイドリンク同期情報に従って、第１の端末と同期する。ＧＮＳＳクロックは一様なタイミング及び高精度を有するので、異なる端末によって、ＧＮＳＳクロックを用いることによって決定された伝送タイムスロットが一致し、送信時刻も一致する。従って、このタイプの同期ソースにアクセスする第２の端末も同期されることにより、非同期によってもたらされるリソース割り当ての不整合及び通信障害を回避し、伝送性能を向上させてよい。
【０１１３】
さらに、図３を参照すると、本発明の本実施形態において、サイドリンク同期情報は、ＳＬＳＳを含み、ＳＬＳＳは、ＰＳＳＳ及びＳＳＳＳを含む。第２の端末は、以下の方式で、第１の端末がＧＮＳＳクロックを用いる同期ソースであると決定してよい。
【０１１４】
１．第２の端末は、専用シーケンスを取得するためにＰＳＳＳを解析する。専用シーケンスは、第１の端末がＧＮＳＳクロックを用いる同期ソースであることを示すために用いられる。第２の端末は、専用シーケンスに従って、第１の端末がＧＮＳＳクロックを用いる同期ソースであると決定する。
【０１１５】
２．第２の端末は、専用シーケンスを取得するためにＳＳＳＳを解析する。専用シーケンスは、第１の端末がＧＮＳＳクロックを用いる同期ソースであることを示すために用いられる。第２の端末は、専用シーケンスに従って、第１の端末がＧＮＳＳクロックを用いる同期ソースであると決定する。
【０１１６】
３．第２の端末は、第１のシーケンス部分を取得するためにＰＳＳＳを解析し、第２のシーケンス部分を取得するためにＳＳＳＳを解析する。第２の端末は、専用シーケンスを取得するために、第１のシーケンス部分及び第２のシーケンス部分を組み合わせる。専用シーケンスは、第１の端末がＧＮＳＳクロックを用いる同期ソースであることを示すために用いられる。第２の端末は、専用シーケンスに従って、第１の端末がＧＮＳＳクロックを用いる同期ソースであると決定する。
【０１１７】
サイドリンク同期情報は、ＭＩＢ−ＳＬをさらに含んでよく、ＭＩＢ−ＳＬは、伝送タイムスロットについての情報を含み、伝送タイムスロットについての情報は、第１の端末によってＧＮＳＳに従って決定された、Ｄ２Ｄシステムにおける現在時刻に対応する伝送タイムスロットを示すために用いられることが理解されよう。伝送タイムスロットは、サブフレーム番号であってよく、フレーム番号であってよく、又はフレーム番号及びサブフレーム番号であってよい。
【０１１８】
第２の端末は、第１の端末によって送信されたサイドリンク同期情報に従って、以下の方式、すなわち、
第２の端末によって、ＳＬＳＳに従って、第１の端末のタイムスロット境界を取得する手順と、
第２の端末によって、第２の端末のタイムスロット境界を第１の端末のタイムスロット境界に整合させ、Ｄ２Ｄシステムにおける現在時刻に対応する伝送タイムスロットを、第２の端末によって、ＭＩＢ−ＳＬに従って決定する手順と、
第２の端末によって、第２の端末の伝送タイムスロットを第１の端末の伝送タイムスロットに整合させる手順と、
を実行する方式で、第１の端末と同期してよい。
【０１１９】
本発明の本実施形態において、ＧＮＳＳクロックを用いる同期ソースの優先度は、ネットワークカバレッジ外にあるＧＮＳＳクロックを用いない同期ソースの優先度及びネットワークカバレッジ内にある同期ソースの優先度より高くてよい、又は、ネットワークカバレッジ外にあるＧＮＳＳクロックを用いない同期ソースの優先度のみより高くてよい、又は、ネットワークカバレッジ外にあるＧＮＳＳクロックを用いない同期ソースの優先度より高いが、ネットワークカバレッジ内にある同期ソースの優先度より低くてよいことに留意されたい。ネットワークカバレッジ内にある同期ソースは、基地局であってよく、又はＧＮＳＳクロックを用いない端末タイプの同期ソースであってよい。これは、具体的には、本明細書において限定されない。第２の端末が複数の同期ソースを発見した場合に、複数の同期ソースが信号品質要件を満たすことを前提として、第２の端末は、より高い優先度を有する同期ソースに、優先的にアクセスする。
【０１２０】
本発明の本実施形態において、第２の端末は、複数の方式で、第１の端末がＧＮＳＳクロックを用いる同期ソースであると決定してよい。
【０１２１】
さらに、本発明の本実施形態は、第２の端末が、第１の端末によって送信されたサイドリンク同期情報に従って、第１の端末と同期する具体的な方式を提供することにより、解決手段の実装可能性を向上させる。
【０１２２】
さらに、図３を参照すると、本発明の本実施形態において、サイドリンク同期情報は、ＳＬＳＳを含み、ＳＬＳＳは、ＰＳＳＳ及びＳＳＳＳを含む。第２の端末は、以下の方式、すなわち、
第２の端末によって、第１の専用シーケンスを取得するためにＰＳＳＳを解析する手順であって、第１の専用シーケンスは、第１の端末がＧＮＳＳクロックを用いる同期ソースであることを示すために用いられる、手順と、
第２の端末によって、第１の専用シーケンスに従って、第１の端末がＧＮＳＳクロックを用いる同期ソースであると決定する手順と、
を実行する方式で、第１の端末がＧＮＳＳクロックを用いる同期ソースであると決定してよい。
【０１２３】
この場合、第２の端末は、以下の方式、すなわち、
複数の第１の端末が存在する場合に、第２の端末によって、第２の専用シーケンスを取得するためにＳＳＳＳを解析する手順であって、第２の専用シーケンスは、ターゲット指示情報を含み、ターゲット指示情報は、ＧＮＳＳクロックを用いる同期ソースにおける第１の端末の優先度を示すために用いられる、手順と、
第２の端末によって、端末の第２の専用シーケンスに従って、各第１の端末の同期ソース優先度を決定する手順と、
第２の端末によって、複数の第１の端末の中で最も高い同期ソース優先度を有する第１の端末と同期する手順と、
を実行する方式で、サイドリンク同期情報に従って、第１の端末と同期してよい。
【０１２４】
ターゲット指示情報は、第１の端末によって用いられるＧＮＳＳ技術のタイプ、又は第１の端末によって用いられるＧＮＳＳクロックの同期精度、又は第１の端末の優先度識別子を含んでよいことに留意されたい。
【０１２５】
具体的には、第２の端末は、ＧＮＳＳタイプ及び事前設定された優先度ルールに従って、第１の端末の同期ソース優先度を決定する。例えば、事前設定された優先度ルールは、中国の北斗測位衛星システムが、米国のＧＰＳに対して優先度を有するというものである。第２の端末が２つの第１の端末を発見した場合に、１つの第１の端末の第２の専用シーケンスは、第１の端末によって用いられるＧＮＳＳ技術のタイプが中国の北斗であることを示し、他の第１の端末の第２の専用シーケンスは、第１の端末によって用いられるＧＮＳＳ技術のタイプが米国のＧＰＳであることを示し、第２の端末は、ＧＮＳＳタイプが中国の北斗である第１の端末と同期することを選択する。
【０１２６】
あるいは、第２の端末は、ＧＮＳＳタイプ及び事前設定された優先度ルールに従って、第１の端末の同期ソース優先度を決定する。例えば、事前設定された優先度ルールは、より高い同期精度を有する同期ソースが、より高い優先度を有するというものである。第２の端末が２つの第１の端末を発見した場合に、１つの第１の端末の第２の専用シーケンスは、第１の端末が０．２の同期精度を有することを示し、他の第１の端末の第２の専用シーケンスは、第１の端末が０．１の同期精度を有することを示し、第２の端末は、０．１の同期精度の第１の端末と同期することを選択する。
【０１２７】
あるいは、第２の端末は、ＧＮＳＳタイプ及び事前設定された優先度ルールに従って、第１の端末の同期ソース優先度を決定する。例えば、事前設定された優先度ルールは、中国の北斗測位衛星システムが、米国のＧＰＳに対して優先度を有するというものであり、より高い同期精度を有する同期ソースは、同じＧＮＳＳ技術が用いられる場合、より高い優先度を有する。第２の端末が３つの第１の端末を発見した場合に、第１の端末１の第２の専用シーケンスは、第１の端末によって用いられるＧＮＳＳ技術のタイプが米国のＧＰＳであること、及び同期精度が０．１であることを示し、第１の端末２の第２の専用シーケンスは、第１の端末によって用いられるＧＮＳＳ技術のタイプが中国の北斗であること、及び同期精度が０．２であることを示し、第１の端末３の第２の専用シーケンスは、第１の端末によって用いられるＧＮＳＳ技術のタイプが中国の北斗であり、同期精度が０．１であることを示し、第２の端末は、第１の端末３と同期することを選択する。
【０１２８】
あるいは、第２の端末は、優先度識別子に従って、第１の端末の同期ソース優先度を決定する。第２の端末が２つの第１の端末を発見した場合に、１つの第１の端末の第２の専用シーケンスは、第１の端末が１の優先度を有することを示し、他の第１の端末の第２の専用シーケンスは、第１の端末が２の優先度を有することを示し、第２の端末は、２の優先度を有する第１の端末と同期することを選択する。
【０１２９】
本発明の本実施形態において、ＧＮＳＳクロックを用いる同期ソースの優先度は、ネットワークカバレッジ外にあるＧＮＳＳクロックを用いない同期ソースの優先度及びネットワークカバレッジ内にある同期ソースの優先度より高くてよい、又は、ネットワークカバレッジ外にあるＧＮＳＳクロックを用いない同期ソースの優先度のみより高くてよい、又は、ネットワークカバレッジ外にあるＧＮＳＳクロックを用いない同期ソースの優先度より高いが、ネットワークカバレッジ内にある同期ソースの優先度より低くてよいことに留意されたい。ネットワークカバレッジ内にある同期ソースは、基地局であってよく、又はＧＮＳＳクロックを用いない端末タイプの同期ソースであってよい。これは、具体的には、本明細書において限定されない。第２の端末が複数の同期ソースを発見した場合に、複数の同期ソースが信号品質要件を満たすことを前提として、第２の端末は、より高い優先度を有する同期ソースに、優先的にアクセスする。
【０１３０】
本発明の本実施形態において、複数の第１の端末が存在する場合に、第２の端末は、第１の端末の第２の専用シーケンスに従って、各第１の端末の優先度を決定し、最も高い優先度を有する第１の端末と同期することを選択することにより、解決手段の柔軟性を向上させてよい。
【０１３１】
さらに、図３を参照すると、本発明の本実施形態において、サイドリンク同期情報は、ＭＩＢ−ＳＬを含む。第２の端末は、以下の方式、すなわち、
第２の端末によって、指示情報を取得するためにＭＩＢ−ＳＬを解析する手順であって、指示情報は、第１の端末がＧＮＳＳクロックを用いる同期ソースであることを示すために用いられる、手順と、
第２の端末によって、指示情報に従って、第１の端末がＧＮＳＳクロックを用いる同期ソースであると決定する手順と、
を実行する方式で、第１の端末がＧＮＳＳクロックを用いる同期ソースであると決定してよい。
【０１３２】
任意選択的に、ＭＩＢ−ＳＬは、伝送タイムスロットについての情報をさらに含んでよく、伝送タイムスロットについての情報は、第１の端末によってＧＮＳＳに従って決定された、Ｄ２Ｄシステムにおける現在時刻に対応する伝送タイムスロットを示すために用いられる。伝送タイムスロットは、サブフレーム番号であってよく、フレーム番号であってよく、又はフレーム番号及びサブフレーム番号であってよい。第２の端末は、伝送タイムスロットに従って、第１の端末とのタイムスロット整合を実装してよい。
【０１３３】
本発明の本実施形態において、ＧＮＳＳクロックを用いる同期ソースの優先度は、ネットワークカバレッジ外にあるＧＮＳＳクロックを用いない同期ソースの優先度及びネットワークカバレッジ内にある同期ソースの優先度より高くてよい、又は、ネットワークカバレッジ外にあるＧＮＳＳクロックを用いない同期ソースの優先度のみより高くてよい、又は、ネットワークカバレッジ外にあるＧＮＳＳクロックを用いない同期ソースの優先度より高いが、ネットワークカバレッジ内にある同期ソースの優先度より低くてよいことに留意されたい。ネットワークカバレッジ内にある同期ソースは、基地局であってよく、又はＧＮＳＳクロックを用いない端末タイプの同期ソースであってよい。これは、具体的には、本明細書において限定されない。第２の端末が複数の同期ソースを発見した場合に、複数の同期ソースが信号品質要件を満たすことを前提として、第２の端末は、より高い優先度を有する同期ソースに、優先的にアクセスする。
【０１３４】
本発明の本実施形態において、第２の端末は、ＭＩＢ−ＳＬを用いることによって指示情報を取得することにより、解決手段の柔軟性を向上させてよい。
【０１３５】
理解を容易ならしめるべく、以下、実際の適用シナリオを用いることによって、本発明の本実施形態における同期通信方法を詳細に説明する。
【０１３６】
車両Ａは、中国の北斗ポジショニングシステムを用いた、車両対車両通信を実行可能な車両である。車両Ａがネットワークカバレッジエリア外にある場合に、車両Ａは、事前に構成された第１の構成情報及び第２の構成情報を取得する。第２の構成情報は、初期参照時刻（第２のパラメータ）Ｔｒｅｆ：２０１５−０１−０１  ００：００：００を含む。第１の構成情報は、オフセット（第１のパラメータ）、及び現在時刻が同期情報送信時刻であるか否かを決定するための決定ルールを含む。オフセットはｓｙｎｃＯｆｆｓｅｔＩｎｄｉｃａｔｏｒ＝０であり、決定ルールは、現在のタイムスロットに対応するフレーム番号ＤＦＮｔ及びサブフレーム番号ｓｕｂｆｒａｍｅｔが以下の式を満たすか否かを決定する。
（ｃ＊ＤＦＮｔ＋ｓｕｂｆｒａｍｅｔ）ｍｏｄ  Ｋ３＝ｓｙｎｃＯｆｆｓｅｔＩｎｄｉｃａｔｏｒ
ここで、ｓｕｂｆｒａｍｅｔは、サブフレーム番号であり、ＤＦＮｔは、フレーム番号であり、ｃは、１つのフレームに含まれるサブフレームの数であり、Ｋ３は、同期送信周期であり、は、ｓｙｎｃＯｆｆｓｅｔＩｎｄｉｃａｔｏｒは、オフセットである。
【０１３７】
車両ＡがＤ２Ｄ通信を実行する必要がある場合に、車両Ａは、最初に、周辺の同期ソースをサーチし、最終的に、同期ソースを発見しない。
そこで、車両Ａは、同期ソースとして機能し、同期情報を送信する必要がある。最初に、車両Ａは、ＧＮＳＳクロックに従って、現在時刻が２０１５−０１−０１  ００：０２：００であると決定する。車両Ａは、現在時刻と初期参照時刻との間の差Ｔｄｕｒａｔｉｏｎを算出し、Ｔｄｕｒａｔｉｏｎ＝Ｔ−Ｔｒｅｆに従って、Ｔｄｕｒａｔｉｏｎが１２０秒であると決定する。さらに、フレーム長さが１０ミリ秒であり、各フレームが１０のサブフレームを含み（すなわち、サブフレーム長さは１ミリ秒である）、１０２４のフレームが１周期を形成し、同期信号が１０のサブフレーム毎に１回送信されることが知られている。すなわち、フレーム周期長さは、Ｋ１＝１０２４であり、サブフレーム周期長さは、Ｋ２＝１０であり、同期送信周期は、Ｋ３＝１０であり、差の時間単位をフレーム長さ単位に整合させるために用いられる第１のスケールパラメータは、ａ＝１００であり、１つのフレームに含まれるサブフレームの数は、ｃ＝１０であり、差の時間単位をサブフレーム長さ単位に整合させるために用いられる第２のスケールパラメータは、ｂ＝１０００である。
【０１３８】
次に、車両Ａは、以下の事前設定された式に従って、フレーム番号ＤＦＮｔ及びサブフレーム番号ｓｕｂｆｒａｍｅｔを算出する。
ＤＦＮｔ＝（ａ＊Ｔｄｕｒａｔｉｏｎ）ｍｏｄ  Ｋ１＝（１００＊１２０）ｍｏｄ１０２４＝７３６、及び
ｓｕｂｆｒａｍｅｔ＝（ｂ＊Ｔｄｕｒａｔｉｏｎ）ｍｏｄ  Ｋ２＝（１０００＊１２０）ｍｏｄ１０＝１０
【０１３９】
算出によってフレーム番号及びサブフレーム番号を取得した後で、車両Ａは、第２の構成情報における決定ルールに従って、現在時刻が同期情報送信時刻であるか否かを決定する。
【０１４０】
（ｃ＊ＤＦＮｔ＋ｓｕｂｆｒａｍｅｔ）ｍｏｄ  Ｋ３＝（１０＊７３６＋１０）ｍｏｄ１０＝０＝ｓｙｎｃＯｆｆｓｅｔＩｎｄｉｃａｔｏｒ
従って、車両Ａは、現在時刻が同期情報送信時刻であると決定し、車両Ａは、同期情報送信時刻にサイドリンク同期情報、すなわち、２０１５−０１−０１  ００：０２：００を送信する。サイドリンク同期情報は、ＳＬＳＳ及びＭＩＢ−ＳＬを含む。ＳＬＳＳは、ＰＳＳＳ及びＳＳＳＳを含み、ＰＳＳＳは、専用シーケンスを保持し、専用シーケンスは、他のデバイスに対して、車両ＡがＧＮＳＳクロックを用いる同期ソースであることを示すために用いられる。ＭＩＢ−ＳＬは、伝送タイムスロットについての情報を保持し、伝送タイムスロットについての情報は、ＤＦＮｔ＝７３６及びｓｕｂｆｒａｍｅｔ＝１０である。
【０１４１】
この場合、車両Ｂが車両Ａ付近にあり、車両Ｂも、Ｄ２Ｄ通信を実行する必要がある。車両Ｂは、最初に、周辺の同期ソースをサーチし、複数の同期ソースを発見する。そのうち２つの同期ソース、車両Ａ及び車両Ｃが、信号品質要件を満たす。車両Ｂは、サイドリンク同期情報、すなわち、車両Ａ及び車両Ｃによって送信されたＳＬＳＳ及びＭＩＢ−ＳＬを検出する。車両Ｂは、専用シーケンスを取得するために、車両ＡのＳＬＳＳのＰＳＳＳを解析する。専用シーケンスは、他のデバイスに対して、車両ＡがＧＮＳＳクロックを用いる同期ソースであることを示すために用いられる。車両Ｂは、車両ＣのＳＬＳＳにおけるＰＳＳＳ及びＭＩＢ−ＳＬを解析し、車両Ｃがネットワークカバレッジ外にある同期ソースであることを認識する。さらに、車両Ｂは、車両ＣがＧＮＳＳクロックを用いる同期ソースであることを示す情報を取得しない。車両Ｂは、車両Ｃがネットワークカバレッジ外にあるＧＮＳＳクロックを用いない同期ソースであると決定する。事前設定された優先度ルールによれば、ＧＮＳＳクロックを用いる同期ソースの優先度は、ネットワークカバレッジ外にあるＧＮＳＳクロックを用いない同期ソースの優先度より高い。従って、車両Ｂは、車両Ａと同期することを選択する。具体的には、車両Ｂは、ＳＬＳＳに従って、車両Ａのタイムスロット境界を取得し、車両Ｂのタイムスロット境界を車両Ａのタイムスロット境界に整合させ、ＭＩＢ−ＳＬに従って、車両Ａがフレーム番号７３６及びサブフレーム番号１０を有すると決定し、車両Ｂのフレーム番号及びサブフレーム番号を、当該フレーム番号及びサブフレーム番号に整合させる。このように、車両Ｂは、車両Ａとの同期を完了する。
【０１４２】
以上、本発明の実施形態における同期通信方法を説明した。以下、本発明の実施形態における端末を説明する。図４を参照すると、本発明の実施形態における端末の実施形態は、
第１の構成情報を取得するように構成される取得モジュール４０１であって、第１の構成情報は、第１のパラメータを含む、取得モジュール４０１と、
ＧＮＳＳクロックに従って、Ｄ２Ｄ通信システムにおける現在時刻に対応する伝送タイムスロットを決定するように構成される決定モジュール４０２と、
伝送タイムスロット及び第１のパラメータに従って、現在時刻が同期情報送信時刻であるか否かを決定するように構成される判定モジュール４０３と、
判定モジュール４０３が、現在時刻が同期情報送信時刻であると決定した場合に、同期情報送信時刻にサイドリンク同期情報を送信するように構成される送信モジュール４０４であって、サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる、送信モジュール４０４と、
を含む。
【０１４３】
本発明の本実施形態において、決定モジュール４０２は、ＧＮＳＳクロックに従って、Ｄ２Ｄ通信システムにおける現在時刻に対応する伝送タイムスロットを決定してよく、判定モジュール４０３は、伝送タイムスロット及び第１のパラメータに従って、現在時刻が同期情報送信時刻であるか否かを決定する。現在時刻が同期情報送信時刻である場合に、送信モジュール４０４は、同期情報送信時刻にサイドリンク同期情報を送信する。サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる。ＧＮＳＳクロックは一様なタイミング及び高精度を有するので、異なる端末によって、ＧＮＳＳクロックを用いることによって決定された伝送タイムスロットが一致し、送信時刻も一致する。従って、このタイプの同期ソースにアクセスする第２の端末も同期されることにより、非同期によってもたらされるリソース割り当ての不整合及び通信障害を回避し、伝送性能を向上させてよい。
【０１４４】
図４に対応する実施形態に基づいて、本発明の実施形態の他の実施形態において、
取得モジュール４０１は、第２の構成情報を取得するようにさらに構成され、
決定モジュール４０２は、ＧＮＳＳクロック及び取得モジュール４０１によって取得された第２の構成情報に従って、Ｄ２Ｄ通信システムにおける現在時刻に対応する伝送タイムスロットを決定するようにさらに構成される。
【０１４５】
任意選択的に、本発明の本実施形態において、第２の構成情報は、第２のパラメータを含んでよい。
【０１４６】
決定モジュール４０２は、ＧＮＳＳクロックに従って、現在時刻を決定し、事前設定されたルールに従って、現在時刻及び第２のパラメータに従って伝送タイムスロットを算出するようにさらに構成されてよい。
【０１４７】
任意選択的に、本発明の本実施形態において、第２のパラメータは、初期参照時刻を含んでよい。
【０１４８】
決定モジュール４０２は、現在時刻と初期参照時刻との間の差を算出し、事前設定された算出ルール及び差に従って、Ｄ２Ｄ通信システムにおける現在時刻に対応するフレーム番号及びサブフレーム番号を算出するようにさらに構成されてよい。
【０１４９】
本発明の本実施形態において、決定モジュール４０２が伝送タイムスロットを決定する具体的な方式は、解決手段の実装可能性を向上させる。
【０１５０】
任意選択的に、本発明の実施形態におけるいくつかの他の実施形態において、
取得モジュール４０１は、
事前設定方式で、第２の構成情報を取得してよい、又は、
第１の端末がネットワークカバレッジ内にある場合に、基地局によって送信されたシステムブロードキャスト情報を受信することによって、第２の構成情報を取得してよい、又は、
第１の端末がネットワークカバレッジ内にある場合に、基地局によって送信されたＲＲＣシグナリングを受信することによって、第２の構成情報を取得してよい、又は、
事前設定されたプロトコルに従って、第２の構成情報を取得してよい。
【０１５１】
本発明の本実施形態において、取得モジュール４０１は、複数の方式で、第２の構成情報を取得することにより、解決手段の柔軟性を向上させてよい。
【０１５２】
以上、本発明の実施形態における第１の端末を説明した。以下、本発明の実施形態における第２の端末を説明する。図５を参照すると、本発明の実施形態における他の端末は、
第１の端末によって送信されたサイドリンク同期情報を取得するように構成される取得モジュール５０１であって、サイドリンク同期情報は、指示情報を保持する、取得モジュール５０１と、
取得モジュールによって取得された指示情報に従って、第１の端末がＧＮＳＳクロックを用いる同期ソースであると決定するように構成される決定モジュール５０２と、
サイドリンク同期情報に従って、端末を第１の端末と同期させるように構成される同期モジュール５０３と、
を含む。
【０１５３】
本発明の本実施形態において、第１の端末は、全球測位衛星システムＧＮＳＳクロックに従って、Ｄ２Ｄ通信システムにおける現在時刻に対応する伝送タイムスロットを決定し、伝送タイムスロット及び第１の構成情報に従って、現在時刻が同期情報送信時刻であると決定し、同期情報送信時刻にサイドリンク同期情報を送信してよい。サイドリンク同期情報は、指示情報を保持する。第２の端末の決定モジュール６０２は、指示情報に従って、第１の端末がＧＮＳＳクロックを用いる同期ソースであると決定し、同期モジュール６０３は、サイドリンク同期情報に従って、第２の端末を第１の端末と同期させる。ＧＮＳＳクロックは一様なタイミング及び高精度を有するので、異なる端末によって、ＧＮＳＳクロックを用いることによって決定された伝送タイムスロットが一致し、送信時刻も一致する。従って、このタイプの同期ソースにアクセスする第２の端末も同期されることにより、非同期によってもたらされるリソース割り当ての不整合及び通信障害を回避し、伝送性能を向上させてよい。
【０１５４】
図５に対応する実施形態に基づいて、本発明の本実施形態において、サイドリンク同期情報は、サイドリンク同期信号ＳＬＳＳを含み、ＳＬＳＳは、主同期信号ＰＳＳＳ及び副同期信号ＳＳＳＳを含む。
【０１５５】
決定モジュール５０２は、専用シーケンスを取得するためにＰＳＳＳ及び／又はＳＳＳＳを解析するようにさらに構成される。専用シーケンスは、第１の端末がＧＮＳＳクロックを用いる同期ソースであることを示すために用いられる。
【０１５６】
決定モジュール５０２は、専用シーケンスに従って、第１の端末がＧＮＳＳクロックを用いる同期ソースであると決定するようにさらに構成される。
【０１５７】
任意選択的に、本発明の本実施形態において、サイドリンク同期情報は、ＭＩＢ−ＳＬをさらに含み、ＭＩＢ−ＳＬは、第１の端末によってＧＮＳＳクロックに従って決定された、Ｄ２Ｄシステムにおける現在時刻に対応する伝送タイムスロットを含む。
【０１５８】
同期モジュール５０３は、ＳＬＳＳに従って、第１の端末のタイムスロット境界を取得し、端末のタイムスロット境界を第１の端末のタイムスロット境界に整合させるようにさらに構成される。
【０１５９】
同期モジュール５０３は、ＭＩＢ−ＳＬに従って、第１の端末によってＧＮＳＳクロックに従って決定された、Ｄ２Ｄシステムにおける現在時刻に対応する伝送タイムスロットを決定し、端末の伝送タイムスロットを第１の端末の伝送タイムスロットに整合させるようにさらに構成される。
【０１６０】
本発明の本実施形態は、決定モジュール５０２が第１の端末がＧＮＳＳクロックを用いる同期ソースであると決定する具体的な方式、及び同期モジュール５０３がサイドリンク同期情報に従って、端末を第１の端末と同期させることにより、解決手段の実装可能性を向上させる具体的な方式を提供する。
【０１６１】
図５に対応する実施形態に基づいて、本発明の本実施形態において、サイドリンクは、サイドリンク同期信号ＳＬＳＳを含み、ＳＬＳＳは、主同期信号ＰＳＳＳ及び副同期信号ＳＳＳＳを含む。
【０１６２】
決定モジュール５０２は、第１の専用シーケンスを取得するためにＰＳＳＳを解析するようにさらに構成される。第１の専用シーケンスは、第１の端末がＧＮＳＳクロックを用いる同期ソースであることを示すために用いられる。
【０１６３】
決定モジュール５０２は、第１の専用シーケンスに従って、第１の端末がＧＮＳＳクロックを用いる同期ソースであると決定するようにさらに構成される。
【０１６４】
同期モジュール５０３は、複数の第１の端末が存在する場合に、第２の専用シーケンスを取得するためにＳＳＳＳを解析するようにさらに構成される。第２の専用シーケンスは、ターゲット指示情報を含み、ターゲット指示情報は、ＧＮＳＳクロックを用いる同期ソースにおける第１の端末の優先度を示すために用いられる。
【０１６５】
同期モジュール５０３は、第２の専用シーケンスに従って、各第１の端末の同期ソース優先度を決定するようにさらに構成される。
【０１６６】
同期モジュール５０３は、端末を、複数の第１の端末の中で最も高い同期ソース優先度を有する第１の端末と同期させるようにさらに構成される。
【０１６７】
本発明の本実施形態において、複数の第１の端末が存在する場合に、同期モジュール５０３は、最も高い優先度を有する第１の端末と同期することを選択することにより、解決手段の柔軟性を向上させてよい。
【０１６８】
図５に対応する実施形態に基づいて、本発明の本実施形態において、サイドリンク同期情報は、ＭＩＢ−ＳＬを含む。
【０１６９】
決定モジュール５０２は、指示情報を取得するためにＭＩＢ−ＳＬを解析するようにさらに構成される。指示情報は、第１の端末がＧＮＳＳクロックを用いる同期ソースであることを示すために用いられる。
【０１７０】
決定モジュール５０２は、指示情報に従って、第１の端末がＧＮＳＳクロックを用いる同期ソースであると決定するようにさらに構成される。
【０１７１】
本発明の本実施形態は、他の具体的な方式を提供する。ここで、決定モジュール５０２は、第１の端末がＧＮＳＳクロックを用いる同期ソースであると決定することにより、解決手段の柔軟性を向上させる。
【０１７２】
以上、モジュール機能化の観点から、本発明の実施形態における第１の端末及び第２の端末を説明した。以下、ハードウェアエンティティの観点から、本発明の実施形態における第１の端末及び第２の端末を説明する。第１の端末及び第２の端末は、携帯電話、タブレットコンピュータ、及び車載型コンピュータのような任意の端末デバイスを含んでよい。以下の説明は、例として携帯電話を用いることによって提供される。図６を参照すると、本発明の本実施形態における端末の他の実施形態は、
無線周波数（Ｒａｄｉｏ  Ｆｒｅｑｕｅｎｃｙ、ＲＦ）回路６１０、メモリ６２０、入力ユニット６３０、表示ユニット６４０、センサ６５０、音声回路６６０、ワイヤレスフィディリティ（ｗｉｒｅｌｅｓｓ  ｆｉｄｅｌｉｔｙ、ＷｉＦｉ）モジュール６７０、プロセッサ６８０、及び電源６９０
のようなコンポーネントを含む。当業者であれば、図６に示される携帯電話の構造は、携帯電話に対する限定を構成するものではなく、携帯電話は、図示されたものより多くの又はより少ないコンポーネントを含んでよい、又はいくつかのコンポーネントが組み合わせられてよい、又は異なるコンポーネント配置が用いられてよいことを理解しよう。
【０１７３】
以下、図６に関連して、携帯電話のコンポーネントを具体的に説明する。
【０１７４】
ＲＦ回路６１０は、情報受信及び送信プロセス又は呼び出しプロセスにおいて、信号を送信又は受信するように構成されてよい。具体的には、ＲＦ回路６１０は、基地局からダウンリンク情報を受信し、次に、ダウンリンク情報を処理のためにプロセッサ６８０に伝送し、アップリンクデータを基地局に送信する。概して、ＲＦ回路６１０は、限定されるものではないが、アンテナ、少なくとも１つの増幅器、送受信機、カプラ、低ノイズ増幅器（Ｌｏｗ  Ｎｏｉｓｅ  Ａｍｐｌｉｆｉｅｒ、ＬＮＡ）、デュプレクサ等を含む。さらに、ＲＦ回路６１０は、無線通信によって、ネットワーク及び他のデバイスとさらに通信を行ってよい。無線通信は、限定されるものではないが、グローバルシステムフォーモバイルコミュニケーションズ（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、ジェネラルパケットラジオサービス（Ｇｅｎｅｒａｌ  Ｐａｃｋｅｔ  Ｒａｄｉｏ  Ｓｅｒｖｉｃｅ、ＧＰＲＳ）、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）、ワイドバンド符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）、ロングタームエボリューション（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）等を含む任意の通信規格又はプロトコルを用いてよい。
【０１７５】
メモリ６２０は、ソフトウェアプログラム及びモジュールを格納するように構成されてよい。プロセッサ６８０は、メモリ６２０に格納されたソフトウェアプログラム及びモジュールを動作させ、携帯電話の様々な機能的アプリケーション及びデータ処理を実装する。メモリ６２０は、主に、プログラム格納エリア及びデータ格納エリアを含んでよい。プログラム格納エリアは、オペレーティングシステム、（サウンド再生機能及び画像表示機能のような）少なくとも１つの機能に必要とされるアプリケーションプログラム等を格納してよい。データ格納エリアは、携帯電話の用途に従って形成された（音声データ及びアドレス帳のような）データを格納してよい。さらに、メモリ６２０は、ハイスピードランダムアクセスメモリを含んでよく、少なくとも１つの磁気ディスクストレージデバイスのような不揮発性メモリ、フラッシュメモリ、又は他の揮発性ソリッドステートストレージデバイスをさらに含んでよい。
【０１７６】
入力ユニット６３０は、入力された数字又は文字情報を受信し、携帯電話のユーザ設定及び機能制御に関連するキー信号入力を生成するように構成されてよい。具体的には、入力ユニット６３０は、タッチパネル６３１及び他の入力デバイス６３２を含んでよい。タッチスクリーンとも称されるタッチパネル６３１は、（指又はスタイラスのような任意の好適なオブジェクト又はアクセサリの利用による、タッチパネル６３１上又は付近におけるユーザ動作のような）タッチパネル上又は付近におけるユーザのタッチ動作を収集し、事前設定されたプログラムに従って、対応する接続装置を駆動してよい。任意選択的に、タッチパネル６３１は、２つの部分、すなわち、タッチ検出装置及びタッチコントローラを含んでよい。タッチ検出デバイスは、ユーザのタッチ位置を検出し、タッチ動作によって生成された信号を検出し、信号をタッチコントローラに転送する。タッチコントローラは、タッチ検出装置からタッチ情報を受信し、タッチ情報をタッチ点座標に変換し、タッチ点座標をプロセッサ６８０に送信する。さらに、タッチコントローラは、プロセッサ６８０から送信されたコマンドを受信及び実行してよい。さらに、タッチパネル６３１は、抵抗、静電容量、赤外線、又は表面音波タイプのタッチパネルであってよい。タッチパネル６３１に加えて、入力ユニット６３０は、他の入力デバイス６３２をさらに含んでよい。具体的には、他の入力デバイス６３２は、限定されるものではないが、物理的キーボード、（ボリューム制御キー又はスイッチキーのような）機能キー、トラックボール、マウス、ジョイスティック等のうち１つ又は複数を含んでよい。
【０１７７】
表示ユニット６４０は、ユーザによって入力された情報又はユーザに提供される情報、及び携帯電話の様々なメニューを表示するように構成されてよい。表示ユニット６４０は、表示パネル６４１を含んでよい。任意選択的に、表示パネル６４１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等を用いることによって構成されてよい。さらに、タッチパネル６３１は、表示パネル６４１をカバーしてよい。タッチパネル６３１上又は付近におけるタッチ動作を検出した後で、タッチパネル６３１は、タッチイベントのタイプを決定するために、タッチ動作をプロセッサ６８０に転送する。プロセッサ６８０は、次に、タッチイベントのタイプに従って、対応する視覚的出力を表示パネル６４１に提供する。図６において、タッチパネル６３１及び表示パネル６４１は携帯電話の入出力機能を２つの別個の部分として実装するが、いくつかの実施形態において、タッチパネル６３１及び表示パネル６４１は、携帯電話の入出力機能を実装するように統合されてよい。
【０１７８】
携帯電話は、光学センサ、運動センサ、及び他のセンサのような少なくとも１つのセンサ６５０をさらに含んでよい。具体的には、光学センサは、周辺光センサ及び近接センサを含んでよい。周辺光センサは、周辺光の明度に従って、表示パネル６４１の輝度を調整してよい。近接センサは、携帯電話が耳へと動かされた場合に、表示パネル６４１及び／又はバックライトをスイッチオフしてよい。運動センサのタイプとして、加速度センサは、（概して、３つの軸における）様々な方向における加速度の大きさを検出してよく、静止時の重力の大きさ及び方向を検出してよく、携帯電話の姿勢を認識するアプリケーション（例えば、風景の向きとポートレートの向きとの間の切り替え、関連ゲーム、及び磁力計姿勢キャリブレーション）、（歩数計及びノックのような）振動認識関連機能等に適用されてよい。ジャイロスコープ、気圧計、湿度計、温度計、及び赤外線センサのような携帯電話内に構成され得る他のセンサは、本明細書においてさらに説明されない。
【０１７９】
音声回路６６０、スピーカ６６１、及びマイクロフォン６６２は、ユーザと携帯電話との間に音声インタフェースを提供してよい。音声回路６６０は、受信された音声データを電気信号に変換し、電気信号をスピーカ６６１に伝送してよい。スピーカ６６１は、電気信号を、出力のためのサウンド信号に変換する。一方、マイクロフォン６６２は、収集されたサウンド信号を電気信号に変換する。音声回路６６０は、電気信号を受信し、電気信号を音声データに変換し、音声データを処理のためにプロセッサ６８０に出力する。次に、プロセッサ６８０は、音声データを、ＲＦ回路６１０を用いることによって、例えば、他の携帯電話に送信する、又は、音声データを、さらなる処理のためにメモリ６２０に出力する。
【０１８０】
ＷｉＦｉは、短距離無線伝送技術に属する。ＷｉＦｉモジュール６７０により、携帯電話は、ユーザが電子メールを送信又は受信すること、ウェブページをブラウジングすること、ストリーミングメディアにアクセスすること等を補助することができる。ＷｉＦｉモジュールは、無線ブロードバンドインターネットアクセスをユーザに提供する。図６はＷｉＦｉモジュール６７０を示すが、ＷｉＦｉモジュールは携帯電話の必須のコンポーネントではなく、必要な場合には、本発明の本質の範囲が変更されないのであれば、ＷｉＦｉモジュールは省略されてよいことが理解されよう。
【０１８１】
プロセッサ６８０は、携帯電話の制御センタであり、様々なインタフェース及び線を用いることによって、携帯電話の様々な部分に接続される。メモリ６２０に格納されたソフトウェアプログラム及び／又はモジュールを動作させ又は実行し、メモリ６２０に格納されたデータを呼び出すことによって、プロセッサ７８０は、携帯電話の様々な機能及びデータ処理を実行することにより、携帯電話における全体的なモニタリングを実行する。任意選択的に、プロセッサ６８０は、１つ又は複数の処理ユニットを含んでよい。好ましくは、プロセッサ６８０は、アプリケーションプロセッサ及びモデムプロセッサに統合されてよい。アプリケーションプロセッサは、主に、オペレーティングシステム、ユーザインタフェース、アプリケーションプログラム等を処理する。モデムプロセッサは、主に、無線通信を処理する。前述のモデムプロセッサは、プロセッサ６８０に統合されなくてよいことが理解されよう。
【０１８２】
携帯電話は、コンポーネントに電力を供給するために、（バッテリのような）電源６９０をさらに含む。好ましくは、電源は、電力管理システムを用いることによってプロセッサ６８０に論理的に接続されることにより、電力管理システムの利用による充電、放電、及び電力消費管理のような機能を実装してよい。
【０１８３】
図示されていないが、携帯電話は、カメラ、Ｂｌｕｅｔｏｏｔｈ（登録商標）モジュール等をさらに含んでよく、これらは、本明細書においてさらに説明されない。
【０１８４】
本発明の本実施形態において、第１の端末に含まれるプロセッサ６８０は、
ＧＮＳＳクロックに従って、Ｄ２Ｄシステムにおける現在時刻に対応する伝送タイムスロットを決定する手順と、
伝送タイムスロット及び第１のパラメータに従って、現在時刻が同期情報送信時刻であるか否かを決定する手順と、
を実行する。
【０１８５】
ＲＦ回路６１０は、
第１の構成情報を取得する手順であって、第１の構成情報は、第１のパラメータを含む、手順と、
プロセッサ６８０が、現在時刻が同期情報送信時刻であると決定した場合に、同期情報送信時刻にサイドリンク同期情報を第１の端末に送信する手順であって、サイドリンク同期情報は、指示情報を保持し、サイドリンク同期情報は、第２の端末を第１の端末と同期させるために用いられ、指示情報は、第２の端末に対して、第１の端末がＧＮＳＳクロックを用いる同期ソースであることを示すために用いられる、手順と、
を実行する。
【０１８６】
本発明の本実施形態の他の実施形態において、ＲＦ回路６１０は、
第２の構成情報を取得する手順と、
ＧＮＳＳクロック及び第２の構成情報に従って、Ｄ２Ｄ通信システムにおける現在時刻に対応する伝送タイムスロットを決定する手順と、
を実行するようにさらに構成される。
【０１８７】
本発明の本実施形態の他の実施形態において、プロセッサ６８０は、具体的には、
事前設定方式で、第２の構成情報を取得する手順、もしくは、
事前設定されたプロトコルに従って、第２の構成情報を取得する手順
を実行する、又は、
ＲＦ回路６１０は、具体的には、
第１の端末がネットワークカバレッジ内にある場合に、基地局によって送信されたシステムブロードキャスト情報を受信することによって、第２の構成情報を取得する手順、もしくは、
第１の端末がネットワークカバレッジ内にある場合に、基地局によって送信されたＲＲＣシグナリングを受信することによって、第２の構成情報を取得する手順
を実行する。
【０１８８】
本発明の本実施形態の他の実施形態において、
第２の構成情報は、第２のパラメータを含み、
プロセッサ６８０は、具体的には、
ＧＮＳＳクロックに従って、現在時刻を決定する手順と、
事前設定された算出ルールに従って、現在時刻及び第２のパラメータに従って伝送タイムスロットを算出する手順と、
を実行する。
【０１８９】
本発明の本実施形態の他の実施形態において、
第２のパラメータは、初期参照時刻を含み、
プロセッサ６８０は、具体的には、
現在時刻と初期参照時刻との間の差を算出する手順と、
事前設定された算出ルール及び差に従って、Ｄ２Ｄ通信システムにおける現在時刻に対応するフレーム番号及びサブフレーム番号を算出する手順と、
を実行する。
【０１９０】
本発明の本実施形態において、第２の端末に含まれるＲＦ回路６１０は、
第１の端末によって送信されたサイドリンク同期情報を取得する手順であって、サイドリンク同期情報は、指示情報を保持する、手順
を実行する。
【０１９１】
プロセッサ６８０は、
第１の端末によって送信されたサイドリンク同期情報を取得する手順であって、サイドリンク同期情報は、指示情報を保持する、手順と、
サイドリンク同期情報に従って、第２の端末を第１の端末と同期させる手順と、
を実行する。
【０１９２】
本発明の本実施形態の他の実施形態において、サイドリンク同期情報は、ＳＬＳＳを含み、ＳＬＳＳは、ＰＳＳＳ及びＳＳＳＳを含む。
【０１９３】
プロセッサ６８０は、具体的には、
専用シーケンスを取得するためにＰＳＳＳ及び／又はＳＳＳＳを解析する手順であって、専用シーケンスは、第１の端末がＧＮＳＳクロックを用いる同期ソースであることを示すために用いられる、手順と、
専用シーケンスに従って、第１の端末がＧＮＳＳクロックを用いる同期ソースであると決定する手順と、
を実行する。
【０１９４】
本発明の本実施形態の他の実施形態において、サイドリンク同期情報は、ＭＩＢ−ＳＬをさらに含む。
【０１９５】
プロセッサ６８０は、具体的には、
ＳＬＳＳに従って、第１の端末のタイムスロット境界を取得する手順と、
第２の端末のタイムスロット境界を第１の端末のタイムスロット境界に整合させる手順と、
ＭＩＢ−ＳＬに従って、第１の端末によってＧＮＳＳクロックに従って決定された、デバイスツーデバイスＤ２Ｄシステムにおける現在時刻に対応する伝送タイムスロットを決定する手順と、
第２の端末の伝送タイムスロットを第１の端末の伝送タイムスロットに整合させる手順と、
を実行する。
【０１９６】
本発明の本実施形態の他の実施形態において、サイドリンク同期情報は、ＳＬＳＳを含み、ＳＬＳＳは、ＰＳＳＳ及びＳＳＳＳを含む。
【０１９７】
プロセッサ６８０は、具体的には、
第１の専用シーケンスを取得するためにＰＳＳＳを解析する手順であって、第１の専用シーケンスは、第１の端末がＧＮＳＳクロックを用いる同期ソースであることを示すために用いられる、手順と、
第１の専用シーケンスに従って、第１の端末がＧＮＳＳクロックを用いる同期ソースであると決定する手順と、
複数の第１の端末が存在する場合に、第２の専用シーケンスを取得するためにＳＳＳＳを解析する手順であって、第２の専用シーケンスは、ターゲット指示情報を含み、ターゲット指示情報は、ＧＮＳＳクロックを用いる同期ソースにおける第１の端末の優先度を示すために用いられる、手順と、
第２の専用シーケンスに従って、各第１の端末の同期ソース優先度を決定する手順と、
第２の端末を、複数の第１の端末の中で最も高い同期ソース優先度を有する第１の端末と同期させる手順と、
を実行する。
【０１９８】
本発明の本実施形態の他の実施形態において、サイドリンク同期情報は、ＭＩＢ−ＳＬを含む。
【０１９９】
プロセッサ６８０は、具体的には、
指示情報を取得するためにＭＩＢ−ＳＬを解析する手順であって、指示情報は、第１の端末がＧＮＳＳクロックを用いる同期ソースであることを示すために用いられる、手順と、
指示情報に従って、第１の端末がＧＮＳＳクロックを用いる同期ソースであると決定する手順と、
を実行する。
【０２００】
本願において提供されるいくつかの実施形態において、開示されるシステム、装置、及び方法は、他の方式で実装されてよいことを理解されたい。例えば、説明された装置の実施形態は、例に過ぎない。例えば、ユニットの分割は、論理的機能の分割に過ぎず、実際の実装においては他の分割となることがある。例えば、複数のユニット又はコンポーネントは、他のシステムと組み合わせられてよく、又はこれに統合されてよい。又は、いくつかの機能は、無視されてよく、又は、実行されなくてよい。さらに、表示又は説明された相互連結もしくは直接連結又は通信接続は、いくつかのインタフェースを用いることによって実装されてよい。装置間又はユニット間の間接的な連結又は通信接続は、電子的、機械的、又は他の形式で、実装されてよい。
【０２０１】
別個の部分として説明されるユニットは、物理的に別個であってもなくてもよく、ユニットとして表示される部分は、物理的ユニットであってもなくてもよく、１か所に配置されても、複数のネットワークユニットにおいて分散されてもよい。ユニットのいくつか又は全ては、実施形態の解決手段の目的を実現するための実際の要件に従って選択されてよい。
【０２０２】
さらに、本発明の実施形態における機能ユニットは、１つの処理ユニットに統合されてよく、又はユニットの各々が物理的に単独で存在してよく、又は２つもしくはそれより多くのユニットが１つのユニットに統合される。統合ユニットは、ハードウェア形式で実装されてよく、又はソフトウェア機能ユニット形式で実装されてよい。
【０２０３】
統合ユニットがソフトウェア機能ユニット形式で実装され、個別の製品として販売又は使用される場合、統合ユニットは、コンピュータ可読記憶媒体に格納されてよい。このような理解に基づいて、本発明の技術的解決手段は基本的に、又は従来技術に寄与する部分は、又は技術的解決手段の全てもしくはいくつかは、ソフトウェア製品の形式で実装されてよい。ソフトウェア製品は、記憶媒体に格納され、本発明の実施形態において説明される方法の段階の全て又はいくつかを実行するよう、コンピュータデバイス（パーソナルコンピュータ、サーバ、又はネットワークデバイスであってよい）に命令するためのいくつかの命令を含む。前述の記憶媒体は、ＵＳＢフラッシュドライブ、リムーバブルハードディスク、リードオンリメモリ（ＲＯＭ、リードオンリメモリ）、ランダムアクセスメモリ（ＲＡＭ、ランダムアクセスメモリ）、磁気ディスク、又は光ディスクのような、プログラムコードを格納可能な任意の媒体を含む。
【０２０４】
本発明の実施形態において提供される同期通信方法及び端末が、詳細に上述された。本発明の原則及び実装が、本明細書において具体的な例を用いることによって説明されたが、実施形態についての説明は、本発明の方法及び中心的概念を理解する助けとなることのみが意図されるものである。さらに、当業者であれば、本発明の実施形態の概念に従って、具体的な実装及び適用範囲にバリエーションを施すことができよう。従って、本明細書の内容は、本発明に対する限定として解されるべきではない。
【図１】
0006548346.tif 000002
【図２】
0006548346.tif 000003
【図３】
0006548346.tif 000004
【図４】
0006548346.tif 000005
【図５】
0006548346.tif 000006
【図６】
0006548346.tif 000007